(57)【特許請求の範囲】
【請求項１】
複数の単位映像表現装置を積み重ねることが可能な形状とされている単位映像表現装置であるとともに、
動画としての単位映像に関する情報である単位映像情報を入力する入力手段と、
表示手段と、
上記入力手段で入力した単位映像情報に基づいて、単位映像内容を表現する表示を上記表示手段に実行させる制御手段と、
外部の編集卓装置上に置かれた際に、自己情報を上記編集卓装置に認識させることができる自己情報通知手段と、
複数の上記単位映像表現装置が積み重ねられた状態において、自己が最下段、最上段、もしくは中段のいずれに位置するかを検出する重なり位置検出手段と、
を備えた単位映像表現装置。
【請求項２】
上記単位映像表現装置は、複数の上記単位映像表現装置が積み重ねられた状態において、重ねられている他の単位映像表現装置に対して、上記自己情報を通知する自己情報上下通信手段を、さらに備える請求項１に記載の単位映像表現装置。
【請求項３】
上記自己情報上下通信手段は、光通信装置部として形成される請求項２に記載の単位映像表現装置。
【請求項４】
上記自己情報とは、自己の識別情報である請求項１に記載の単位映像表現装置。
【請求項５】
上記入力手段で入力される上記単位映像情報には、動画としての単位映像の識別情報が含まれており、
上記自己情報とは、上記入力手段により入力された単位映像の識別情報である請求項１に記載の単位映像表現装置。
【請求項６】
上記自己情報通知手段は、上記編集卓装置との間で非接触無線通信を行う非接触無線通信装置部として形成される請求項１に記載の単位映像表現装置。
【請求項７】
上記入力手段で入力される上記単位映像情報には、動画としての単位映像の開始点と終了点に関する情報が含まれており、
上記制御手段は、単位映像内容を表現する表示として、上記表示手段に、上記単位映像の開始点と終了点に関する情報を表示させる請求項１に記載の単位映像表現装置。
【請求項８】
上記表示手段は、無電源状態となっても表示を維持する電子ペーパーにより形成されている請求項１に記載の単位映像表現装置。
【請求項９】
上記単位映像表現装置は、略直方体形状とされている請求項１に記載の単位映像表現装置。
【請求項１０】
上記単位映像表現装置は、上記表示手段を備えた表紙部と、フレキシブルペーパー状の表示デバイスとして形成された複数のシート部とが、背部で綴じられ、上記各シート部が各ページを構成する冊子構造とされている請求項１に記載の単位映像表現装置。
【請求項１１】
上記入力手段により入力される単位映像情報には、単位映像を構成するフレーム画像データが含まれており、
上記制御手段は、上記フレーム画像データを用いて上記各シート部に対する表示画像データを生成し、生成した表示画像データによる静止画表示を上記各シート部で実行させる請求項１０に記載の単位映像表現装置。
【請求項１２】
上記各シート部は、無電源状態となっても表示を維持する電子ペーパーにより形成されている請求項１０に記載の単位映像表現装置。
【請求項１３】
動画としての単位映像内容を表現する表示が行われる単位映像表現装置を複数個配置できる編集面と、
上記編集面上に配置されている複数の単位映像表現装置の配置順序を検出する配置順序検出手段と、
上記配置順序検出手段で検出された配置順序に基づいて、時系列順序を設定した編集情報を生成する編集情報生成手段と、
を備え、
上記配置順序検出手段は、上記編集面上において積み重ねられている複数の単位映像表現装置の上下方向の配置順序を検出する編集卓装置。
【請求項１４】
上記配置順序検出手段はさらに、上記編集面上の水平方向に並べられている複数の単位映像表現装置の配置順序を検出する請求項１３に記載の編集卓装置。
【請求項１５】
上記配置順序検出手段は、上記編集面上に配置された上記単位映像表現装置との間で非接触無線通信を行う非接触無線通信装置部として形成される請求項１３に記載の編集卓装置。
【発明の詳細な説明】
【技術分野】
【０００１】
本発明は、動画としての単位映像をつなぎ合わせて動画コンテンツを制作するための編集システムを構成する単位映像表現装置、編集卓装置に関するものである。
【背景技術】
【０００２】
【特許文献１】特開平１１−３３９０５９号公報
【特許文献２】特開平１１−３４１２５３号公報
【特許文献３】特開平１１−３４１３４８号公報
【特許文献４】国際公開第９６／３２７２２号パンフレット
【０００３】
動画映像編集装置としては、業務用途、民生用途などとして多様な機器が提供されている。特に近年では、専用機或いは汎用パーソナルコンピュータを用いて実現される、いわゆるノンリニアエディタにより、より自由度の高い効率的な動画編集が実現されている。
【発明の開示】
【発明が解決しようとする課題】
【０００４】
ところが従来の動画映像編集装置は、複雑な操作が必要であり、使用者の熟練が要求された。
また、上記特許文献１，２，３には、編集作業を簡易化する目的で、映像をカードに印刷し、カードを台紙に配置し、カードが配置された台紙を読み取って、映像編集を行う技術が開示されている。
ところが、動画素材としてのクリップから利用映像区間を抽出し、タイムコードが連続した状態で画像をカードに印刷するものであり、利用映像区間を変更する場合は新たに印刷し直しになるのと、映像区間が長くなるにつれ膨大な印刷を要し、扱いが煩雑な上、コスト及び時間に欠点があった。またイン点、アウト点の変更は紙を折る、切り離すことにより行っていた為、扱いが煩雑で、フィルムの編集に近いものであった。
また読み取り手段は台紙の上に、印刷物を平面状に並べこれをカメラ又はスキャナーにより光学的に取り込むものであった。従って、長編物を編集するに伴い、板の上に並べた台紙を何組も必要とし、全体の編集結果を構成確認するには極めて広い面積の台紙を必要とし運営が難しかった。
【０００５】
そこで本発明では動画映像の編集を、直感的な操作で、かつ面倒な用意などを必要とせずに実行できるようなデバイスを提供することを目的とする。
【課題を解決するための手段】
【０００６】
本発明の単位映像表現装置は、動画としての単位映像に関する情報である単位映像情報を入力する入力手段と、表示手段と、上記入力手段で入力した単位映像情報に基づいて単位映像内容を表現する表示を上記表示手段に実行させる制御手段と、外部の編集卓装置上に置かれた際に自己情報を上記編集卓装置に認識させることができる自己情報通知手段とを備える。
【０００７】
また上記単位映像表現装置は、複数の上記単位映像表現装置を積み重ねることが可能な形状とされているものとする。
また上記単位映像表現装置は、複数の上記単位映像表現装置が積み重ねられた状態において、自己が最下段、最上段、もしくは中段のいずれに位置するかを検出する重なり位置検出手段を、さらに備えるようにする、
また上記単位映像表現装置は、複数の上記単位映像表現装置が積み重ねられた状態において、重ねられている他の単位映像表現装置に対して、上記自己情報を通知する自己情報上下通信手段を、さらに備えるようにする。上記自己情報上下通信手段は、例えば光通信装置部として形成する。
【０００８】
また、編集卓装置に通知する上記自己情報とは、自己の識別情報とする。
或いは、上記入力手段で入力される上記単位映像情報には、動画としての単位映像の識別情報が含まれており、上記自己情報とは、上記入力手段により入力された単位映像の識別情報であるとする。
また、上記自己情報通知手段は、上記編集卓装置との間で非接触無線通信を行う非接触無線通信装置部として形成されるようにする。
また、上記入力手段で入力される上記単位映像情報には、動画としての単位映像の開始点と終了点に関する情報が含まれており、上記制御手段は、単位映像内容を表現する表示として、上記表示手段に、上記単位映像の開始点と終了点に関する情報を表示させる。
また上記表示手段は、無電源状態となっても表示を維持する電子ペーパーにより形成されるものとする。
また上記単位映像表現装置は、例えばカード状、ブロック状、板状、つみき状などとしての略直方体形状とされているものとする。
【０００９】
或いは、上記単位映像表現装置は、上記表示手段を備えた表紙部と、フレキシブルペーパー状の表示デバイスとして形成された複数のシート部とが、背部で綴じられ、上記各シート部が各ページを構成する冊子構造とされているものとする。
この場合、上記入力手段により入力される単位映像情報には、単位映像を構成するフレーム画像データが含まれており、上記制御手段は、上記フレーム画像データを用いて上記各シート部に対する表示画像データを生成し、生成した表示画像データによる静止画表示を上記各シート部で実行させる。
また上記各シート部は、無電源状態となっても表示を維持する電子ペーパーにより形成されているものとする。
【００１０】
本発明の編集卓装置は、動画としての単位映像内容を表現する表示が行われる単位映像表現装置を複数個配置できる編集面と、上記編集面上に配置されている複数の単位映像表現装置の配置順序を検出する配置順序検出手段と、上記配置順序検出手段で検出された配置順序に基づいて時系列順序を設定した編集情報を生成する編集情報生成手段とを備える。
また、上記配置順序検出手段は、上記編集面上の水平方向に並べられている複数の単位映像表現装置の配置順序を検出する。
また、上記配置順序検出手段は、上記編集面上において積み重ねられている複数の単位映像表現装置の上下方向の配置順序を検出する。
また、上記配置順序検出手段は、上記編集面上に配置された上記単位映像表現装置との間で非接触無線通信を行う非接触無線通信装置部として形成される。
【００１３】
このような本発明では、例えばカード状や冊子状などの形態の単位映像表現装置により、１つの単位映像を表現するようにする。単位映像とは、例えば動作映像素材としてのクリップ或いはシーンと呼ばれる単位であったり、すでに複数のクリップを時間的に連結する編集を終えたものであるなど、その「単位」は限定されるものではないが、時間的に連続するものとされた動画映像であって、編集により最終的に作成しようとする動画コンテンツや放送番組の一部となる単位をいう。
単位映像表現装置は、１つの単位映像を表現する。複数個の単位映像表現装置に対して、それぞれに各単位映像情報を入力し、各単位映像表現装置は、サムネイル画像表示などの手法で、各単位映像を視覚的に表現するようにする。
この単位映像表現装置を、編集卓装置の編集面上に水平方向に並べたり、上下に積み重ねることで、各単位映像の時間的な順番を決めることができるようにする。即ち編集卓装置は、水平／垂直方向に並べられた単位映像表現装置の順番を読み取って編集データを生成する。これは、各単位映像表現装置が表現する単位映像の順番として最終的に認識される。つまり複数の単位映像（例えばクリップ）を連結した編集データとなる。
【発明の効果】
【００１４】
本発明によれば、それぞれが入力された単位映像情報に基づいて単位映像を表現する単位映像表現装置を、編集卓装置上で並べたり、積み重ねるといった非常に感覚的な作業により、各単位映像を時間軸上で連結する動画編集を行うことができる。即ち、作業者は、困難な操作を必要とせずに、単に単位映像表現装置で映像内容を認識しながら、順番に並べるという作業を行えばよいので、装置に対する熟練を必要とせずに、映像編集が可能となる。またこれによって作業者は映像内容、編集内容自体に集中できる。
また、水平方向に並べるだけでなく、積み重ねて垂直方向にも並べられることで、編集卓装置の編集面としても、あまりに広い面積を用意する必要もなく、また長編の映像コンテンツ制作にも対応できる。
また、単位映像表現装置は、入力された単位映像情報に基づいて単位映像内容を表現する表示を行うため、例えば画像を印刷したカードを用意するなどの面倒な準備は不用であり、また編集後に印刷したカードが不要になって廃棄するなどの無駄がなく、時間、コスト、環境負荷が軽減される。
【発明を実施するための最良の形態】
【００１５】
以下、本発明の実施の形態を次の順序で説明する。
＜Ｉ：編集システム概要＞
＜II：エディットカードとエディットデスクによる編集システム＞
［II−１．システム構成デバイス］
［II−２．エディットカード構造］
［II−３．カードバインダ構成］
［II−４．エディットデスク構造］
［II−５．エディットデスクによるＸＹスキャン］
［II−６．エディットカードの重なり認識及び上下通信］
［II−７．編集手順］
［II−８．エディットカードへのクリップダウンロード動作］
［II−９．エディットデスクでの編集時の動作］
［II−１０．エディットデスク使用時のクリップ映像確認］
＜III：エディットブックとエディットデスクによる編集システム＞
［III−１．システム構成デバイス］
［III−２．エディットブック構造］
［III−３．エディットマスターブックでのクリップ編集］
［III−４．編集手順］
［III−５．エディットブックへのクリップダウンロード動作］
［III−６．エディットデスクでの編集時の動作］
＜IV：実施の形態の効果及び変形例＞
【００１６】
＜Ｉ：編集システム概要＞
まず、本発明の実施の形態としての編集システムの概要を図１で説明する。
図１（ａ）は、マスター編集機５００と、複数個の単位映像表現装置５０１を示している。
【００１７】
ここでいうマスター編集機５００とは、少なくとも多数の映像素材（クリップ）を格納し、単位映像表現装置５０１に送信できる機器を指す。
例えばノンリニアエディタと呼ばれる、多数の映像素材を格納したり、映像素材の編集を行ってコンテンツ制作を行うことのできる映像編集機などは、マスター編集機５００に該当する。
【００１８】
映像コンテンツの制作の際には、ノンリニアエディタには編集対象の動画映像素材としての１又は複数のクリップが取り込まれて記憶される。
そして通常は、ノンリニアエディタにおいて、映像素材としての複数のクリップのそれぞれについてイン点、アウト点を決めてカット編集した上で、各クリップを時間軸方向に所要の順序で連結していく。
このような編集は、通常は例えば専門の編集作業者がノンリニアエディタを使用して行うが、本例では、各クリップの時間的な順序の設定、連結する編集を、単位映像表現装置５０１や編集卓装置５０２を用いて行うものである。
【００１９】
単位映像表現装置５０１は、例えばカード状、ブロック状、つみき状など、略直方体形状のものや、手帳状などの冊子状のものとされる。
即ち物理的な形状物であって、並べたり、複数個を積み重ねることができる形態であればよい。
もちろん並べたり積み重ねることができる形状物は多様に考えられる。例えば円柱状、三角柱、五角柱などの多角柱状、或いは不定形の柱状などであってもよいし、サイコロ状などの立方体でもよい。さらには、トランプカードやカルタなどのように薄いものであってもよい。
単位映像表現装置５０１は、好ましくは、人が手で持った時に定型を保つことの出来る、硬度のあるものとする。
【００２０】
このような単位映像表現装置５０１は、それぞれマスター編集機５００から、映像素材としての単位映像の情報をダウンロードすることができる。
単位映像とは、単位映像とは、例えば動作映像素材としてのクリップ或いはシーンと呼ばれる単位であったり、すでに複数のクリップを時間的に連結する編集を終えたものであるなど、その「単位」は限定されるものではないが、時間的に連続するものとされた動画映像であって、編集により最終的に作成しようとする動画コンテンツや放送番組の一部となる単位をいう。
通常、カメラで撮像を開始してから撮像停止するまでとしての連続した映像区間を１つのクリップと呼ぶが、以下では、単位映像の例としてクリップを挙げて説明していく。
【００２１】
映像素材とされるクリップは、通常、そのクリップ内で、イン点（映像開始点）、アウト点（映像終了点）を設定する編集が行われる。つまり、撮像したクリップの映像のうちで、実際に映像コンテンツで使用する部分をイン点からアウト点として切り出す処理である。
その後、このようなイン点、アウト点の編集を行ったクリップを、時間軸順につなぎ合わせることで、映像コンテンツが制作できる。
例えばマスター編集機５００では、各クリップについてイン点、アウト点の編集を行う。マスター編集機５００は、このような編集後のクリップのそれぞれについてのクリップ情報（動画としての単位映像に関する情報である単位映像情報）を、各単位映像表現装置５０１に送信する。
例えばクリップＣＬ１に関連するクリップ情報、クリップＣＬ２に関連するクリップ情報、クリップＣＬ３に関連するクリップ情報・・・を、それぞれ別の単位映像表現装置５０１、５０１，５０１・・・に送信する。
各単位映像表現装置５０１には、それぞれ固有のＩＤ（識別情報）が与えられている。ここではＩＤを＃１、＃２、＃３・・・として示している。マスター編集機５００は、例えばＩＤ＝＃１の単位映像表現装置５０１にはクリップＣＬ１のクリップ情報を送信し、ＩＤ＝＃２の単位映像表現装置５０１にはクリップＣＬ２のクリップ情報を送信するというように、各単位映像表現装置５０１、５０１，５０１・・・に別のクリップのクリップ情報を送信する
【００２２】
マスター編集機５００から送信されるクリップ情報（単位映像情報）には、例えばクリップの識別情報としてのクリップナンバや、イン点、アウト点の情報（例えばイン点、アウト点のタイムコード）、クリップ映像の代表的な画像データなどを含むようにする。代表的な画像データとしては、例えばイン点、アウト点とされたタイムコードのフレーム画像、或いはそのサムネイル画像などとすればよい。
またクリップ情報には、実際にクリップとしての動画を構成する全フレーム画像データ、或いは間欠的なフレーム画像データを含むようにしてもよい。またクリップ自体の動画データを含んでも良いし、クリップの一部の動画データを含んでも良い。
さらにクリップ情報には、クリップ映像に付随するオーディオ信号の全部又は一部が含まれていても良いし、クリップに関するテキストデータ等を含んでも良い。
【００２３】
各単位映像表現装置５０１は、その形状における或る面に表示部を備えており、クリップ情報を取得したら、そのクリップ情報に基づいて、表示部に、クリップ内容を表現する表示を行う。つまり編集作業者が、視覚的に、どの単位映像表現装置５０１が、どのクリップに対応するものかを認識できる状態とする。
【００２４】
多数の単位映像表現装置５０１が、それぞれ或るクリップを表現する状態とされたら、編集作業者は、図１（ｂ）に示すように、各単位映像表現装置５０１を、編集卓装置５０２上で並べたり、積み重ねたりする。これはクリップの時間軸順序を考えながら、その考えた順序で、平面方向に並べたり、積み重ねるものである。
この作業者の行為が、複数のクリップを用いて映像コンテンツを制作する場合の、連結順序を指定する作業となる。
編集作業者が単位映像表現装置５０１の配置を終えたら、編集卓装置５０２は、各単位映像表現装置５０１の配置順序（水平方向順序及び積み重ね順序）を読み取る。
例えば単位映像表現装置５０１のＩＤにより、配置順序を読み取る。
或いは単位映像表現装置５０１が表現するクリップナンバを読み取るようにしても良い。
【００２５】
例えばＩＤ＝＃１の単位映像表現装置５０１はクリップＣＬ１を表現し、ＩＤ＝＃２の単位映像表現装置５０１はクリップＣＬ２を表現し、ＩＤ＝＃３の単位映像表現装置５０１はクリップＣＬ３を表現し、・・・・ＩＤ＝＃７の単位映像表現装置５０１はクリップＣＬ７を表現しているとする。
この場合、編集卓装置５０２は、配置された各単位映像表現装置５０１について、それぞれのＩＤを読み込み、それらの配置順を判別して、編集データとする。
例えば編集卓装置５０２上では、平面方向には左上から右下に向かうように時間的な順序が進行するとし、また積み重ねられた場合には上から下に時間的な順序が進行すると設定されている場合、図１（ｂ）の配置の場合、＃３→＃１→＃２→＃６→＃４→＃７という順序が読み取られる。
編集卓装置５０２は、この読み取ったＩＤの順序を編集データとしてマスター編集機５００に受け渡す。マスター編集機５００では、各単位映像表現装置５０１にクリップ情報を送信した際に、クリップナンバと単位映像表現装置５０１のＩＤを対応させて記憶しておけば、＃３→＃１→＃２→＃６→＃４→＃７という編集データから、クリップの編集順序がＣＬ３→ＣＬ１→ＣＬ２→ＣＬ６→ＣＬ４→ＣＬ７であることを認識でき、これによってマスター編集機５００内で６つのクリップを連結させた編集データを作成できる。
【００２６】
或いは、編集卓装置５０２は、各単位映像表現装置５０１から、対応するクリップナンバを読み取るようにしても良い。そして各単位映像表現装置５０１の配置順を判別して、編集データとする。すると図１（ｂ）の配置の場合、ＣＬ３→ＣＬ１→ＣＬ２→ＣＬ６→ＣＬ４→ＣＬ７という順序が読み取ることができ、これを編集データとしてマスター編集機５００に送信することができる。この場合、マスター編集機５００では、その編集データを、そのまま用いることができる。
【００２７】
編集システム概要は以上のようになり、このシステムによれば編集作業者は、単位映像表現装置５０１が表現するクリップ内容を見ながら、並べていくという作業により、直感的な操作で編集作業を行うことができる。
【００２８】
＜II：エディットカードとエディットデスクによる編集システム＞
［II−１．システム構成デバイス］
続いて上記単位映像表現装置５０１の例として、カード状の装置であるエディットカード２００を用い、また編集卓装置５０２の例としてエディットデスク３００を用いる例を挙げ、実施の形態としての詳細な構成や動作を説明していく。
ここでは、上記図１のマスター編集機５００に相当する機器の例としてノンリニアエディタ１００を挙げ、ノンリニアエディタ１００から複数のエディットカード２００にクリップ情報をダウンロードし、エディットカード２００をエディットデスク３００上で並べて編集を行うものとする。
【００２９】
図２にノンリニアエディタ１００とカードバインダ１５０を示す。
ノンリニアエディタ１００は、例えば制御部１０１（以下、ＮＬＥ制御部１０１と表記する），記憶部１０２、編集処理部１０３，ユーザインターフェース部１０４、外部インターフェース部１０５等を備える。
ＮＬＥ制御部１０１は、例えばマイクロコンピュータにより構成され、画像編集のための全体の動作を制御する。
記憶部１０２は、例えばＨＤＤなどで構成され、編集対象となる映像素材や、編集データの記憶が行われる。
編集処理部１０３は、映像素材に対して各種の編集処理を行う。
ユーザインターフェース部１０４は、操作キー、ダイヤル、キーボード、マウス、タッチパネル、タッチパッド等の操作入力系や、ディスプレイ、オーディオ出力部などの出力系を備え、ユーザ（編集作業者）についての各種の入出力を行う。
外部インターフェース部１０５は、外部機器との通信を行う部位であり、例えばＵＳＢ（Universal Serial Bus）インターフェース、ＩＥＥＥ（Institute of Electrical and Electronics Engineers）１３９４インターフェースなどとされる。
【００３０】
このようなノンリニアエディタ１００は、特に本例のエディットカード２００（カードバインダ１５０）、エディットデスク３００との通信に対応する以外は、一般的な動画編集装置であればよい。具体的には例えば、ハードウエア的には、外部インターフェース部１０５により、エディットカード２００（カードバインダ１５０）やエディットデスク３００との通信接続が可能とされることと、ソフトウエア的には、ＮＬＥ制御部１０１の動作プログラムとして、エディットカード２００へのクリップ情報のダウンロード動作や、エディットデスク３００からの編集データの入力対応処理を行うプログラムがインストールされていればよい。
【００３１】
カードバインダ１５０は、多数のエディットカード２００をコネクタ接続した状態で収納する機器であり、ノンリニアエディタ１００から各エディットカード２００にクリップ情報をダウンロードする際に用いるものである。
図３に示すように、カードバインダ１５０は、多数のエディットカード２００を任意に脱着できるものとされる。
ノンリニアエディタ１００から各エディットカード２００にクリップ情報を入力させる際には、多数のエディットカード２００をカードバインダ１５０に装着し、そのカードバインダ１５０をノンリニアエディタ１００に通信可能に接続する。
【００３２】
各エディットカード２００は、それぞれカードバインダ１５０を介して、ノンリニアエディタ１００からクリップ情報をダウンロードし、それぞれクリップ内容を表現する表示を行う。
そのような各エディットカード２００は、カードバインダ１５０から取り外されて、エディットデスク３００での作業に用いられる。
【００３３】
図４は、エディットデスク３００上でエディットカード２００が任意に配置されたり、積み重ねられたりしている状態を示している。
エディットデスク３００には、このようにエディットカード２００を配置する編集面３０１としての平面部（ＸＹ平面）が形成されている。
また作業者に対するインターフェースとして、操作部３０２や表示部３０３が設けられる。
また、ノンリニアエディタ１００等との他の機器との通信接続のため、例えばＵＳＢ、ＩＥＥＥ１３９４など、所定の通信方式によりデータ通信を外部機器（例えばノンリニアエディタ１００）と行うための接続端子３０４ａが設けられている。
この接続端子３０４ａを用いたケーブル接続による通信により、エディットデスク３００は、生成した編集データ（ＥＤＬ：エディットリスト）をノンリニアエディタ１００に送信できる。
【００３４】
［II−２．エディットカード構造］
エディットカード２００の構造を説明する。
図５（ａ）（ｂ）（ｃ）（ｄ）（ｅ）は、エディットカード２００の平面図、正面図、内部構造模式図、底面図、左側面図を示している。
エディットカード２００は、図５（ｂ）のように或る程度の厚みを持ったカード状（略直方体形状）とされる。
【００３５】
図５（ａ）のように、エディットカード２００の上面には、電子ペーパー部２０１として、静止画表示を行うことができる表示部が形成されている。
エディットカード２００には、ノンリニアエディタ１００から１つのクリップについてのクリップ情報が入力されるが、このクリップ情報に基づいて、電子ペーパー部２０１においてクリップ内容を表現する表示が行われる。
例えばイン点、アウト点が設定されたクリップについて、図示するように、イン点のフレーム画像に基づくサムネイル画ＴＭ１、イン点のタイムコードＴＣｉ、アウト点のフレーム画像に基づくサムネイル画ＴＭ２、アウト点のタイムコードＴＣｏ、及びノンリニアエディタ１００においてクリップ管理のために付されているクリップナンバＣＮが表示される。
このような表示により、作業者は、各エディットカード２００が、それぞれどのような映像内容のクリップに対応するのかを認識できるものとなる。
【００３６】
エディットカード２００の例えば左側面には、図５（ｅ）のようにコネクタ２０４が形成されている。これは、例えば図３のようにカードバインダ１５０と接続するためのコネクタとされる。
カードバインダ１５０には、このコネクタ２０４に対応するコネクタが多数形成されていることで、多数のエディットカード２００を物理的及び電気的に接続できる。
【００３７】
図５（ａ）（ｃ）（ｄ）に見られるように、エディットカード２００の上面部の中央には、光信号を受光する受光部２０２が形成され、また底面部の中央には、光信号を出力する発光部２０３が形成されている。
受光部２０２は、例えば電子ペーパー部２０１の下側に配置されるが、電子ペーパー部２０１における受光部２０２の直上部分では、表示を行わず、透明状態としておくことで、受光に支障はない。
また、図５（ｃ）のように、エディットカード２００内には、所定位置に磁石２０６とホール素子２０５が配置されている。また上下に隣接する磁石２０６とホール素子２０５を磁気的に遮断する磁気シールド板２０７が設けられている。
これら磁石２０６やホール素子２０５は、エディットカード２００が積み重ねられた状態で、自己の上又は下に他のエディットカード２００があるか否かを検出するための構成となる。また発光部２０３及び受光部２０２は、積み重ねられた上下のエディットカード２００の間での情報通信を行うための構成である。これらについては後に詳述する。
【００３８】
またエディットカード２００内には、メモリタグ２０８が形成されている。このメモリタグ２０８は、エディットデスク３００との間の非接触無線通信を行うものとされる。メモリタグ２０８については後述する。
【００３９】
エディットカード２００の上面の電子ペーパー部２０１として設けられる電子ペーパーについて図６で説明しておく。
図６（ａ）は電子ペーパーの一般的な構造例を示している。電子ペーパーは、２枚のプラスチックシート１５，１５の間に、表示層１６とドライバ層１７が挟み込まれる構造とされる。
表示層１６は、例えばマイクロカプセルやシリコンビーズなどを用いた画素構造が形成されて表示を行う層である。
ドライバ層１７は、例えばＴＦＴ（Thin Film Transistor）を用いた表示駆動回路が形成された層であり、表示層１６の各画素構造に対して電圧印加を行うことで、表示層１６での画像表示を実行させることができる。
【００４０】
図６（ｂ）（ｃ）で表示原理を説明する。
図６（ｂ）は、マイクロカプセルを使った電気泳動法と呼ばれるものである。
電気泳動とは、液体中に分散している帯電粒子が、外部電場に応答して液中を移動する現象のことである。
表示層１６には、青色の液体と白色の帯電粒子（酸化チタン粒子）をいれたマイクロカプセルを画素構造として配置する。ここでドライバ層側から負電圧が印加されると、図示するように帯電粒子が電極側に引き寄せられる。この場合、画素構造では青い液体が表示される状態となるが、これが表示上の暗状態となる。
一方、ドライバ層側から正電圧が印加されると、帯電粒子が反発してマイクロカプセルの表側に集まる。この場合、画素構造では白い帯電粒子が表示される状態となる。つまり表示上の明状態となる。
【００４１】
図６（ｃ）は、シリコンビーズを使用する方式を示している。図のように二色に塗り分けた固体粒子（シリコンビーズ）を用いる。このシリコンビーズは、色毎に帯電が異なる。このためドライバ層１７から印加する電圧の極性によりシリコンビーズが回転する。この結果例えば正電圧を印加すると、正に帯電した黒色側が表示面側となり、黒色表示状態となる。一方、負電圧を印加すると、負に帯電した白色側が表示面側となり、白色表示状態となる
【００４２】
この図６（ｂ）（ｃ）のいずれの方式も、カラー表示は可能である。即ち、１つのマイクロカプセル又はシリコンビーズが、１つの画素構造となるが、この画素構造として、例えばＹＭＣＫ（イエロー、マゼンタ、シアン、ブラック）の各色に対応する画素配置を行い、各色信号に応じて各画素を制御することで、カラー表示が実行できる。
【００４３】
また、電気泳動やシリコンビーズの回転にはエネルギーが必要である。このため正負の電圧印加により各画素を暗状態か明状態のいずれかに切換制御するが、逆に言えば、電圧印加を行わなければ、その状態が保たれる。つまり、各画素への電圧印加制御によって所定の画像表示を実行させた後は、電圧印加を行わない状態で、その表示画像が維持されるものとなる。従って、一旦表示を行った後は、無電源の状態でも、或る程度の期間、画像が表示されたままとなる。
【００４４】
図７により、エディットカード２００の内部回路構成を説明する。
主制御部２１１は、ＣＰＵ（Central Processing Unit）、ＲＯＭ（Read Only Memory）、ＲＡＭ（Random Access Memory）を有するマイクロコンピュータにより形成され、エディットカード２００の全体を制御する。
リード／ライト制御部２１２は、メモリコントローラや入出力インターフェースとして機能し、各種の入力情報の処理や、主制御部２１への伝達、メモリ２１３への書き込みや読み出し、データ出力処理などを行う。
メモリ２１３は、不揮発性の半導体メモリ等で構成される。メモリ２１３には、各種入出力データの保存が行われる。
ＣＲＣ（Cyclic Redundancy Check：巡回冗長検査）演算部２１４は、入力された信号等に対してデータ転送誤りがないかのチェックを行う。
【００４５】
エディットカード２００は内部の動作電源供給のためにバッテリー電源（二次電池）２１７を備える。
上記のようにエディットカード２００は、カードバインダ１５０に接続されるコネクタ２０４を有するが、例えばカードバインダ１５０を、エディットカード２００の内部のバッテリー電源２１７の充電器として使用することもできる。もちろん専用の充電器がコネクタ２０４に対応するものとされてもよい。
その場合、コネクタ２０４を介して充電電流が供給されることで、バッテリー電源２１７の充電が行われる。
バッテリー電源２１７による電源供給のオン／オフは、主制御部２１１によって制御される。
【００４６】
上述のように、コネクタ２０４はカードバインダ１５０に接続され、その状態でエディットカード２００にはノンリニアエディタ１００からのクリップ情報のダウンロードが行われる。
この場合、カードバインダ１５０を介して転送されてくるクリップ情報は、リード／ライト制御部２１２によって取り込まれ、メモリ２１３に格納される。
【００４７】
電子ペーパー部２０１では、クリップ情報に基づいて、クリップ内容を表現する表示を行うが、この電子ペーパー部２０１の表示駆動系として表示データ作成部２１５，電子ペーパー制御部２１６が設けられる。
クリップ情報がダウンロードされ、メモリ２１３に格納された後は、主制御部２１１は電子ペーパー部２０１でのクリップ情報に基づく表示を実行させる。即ち主制御部２１１は、リード／ライト制御部２１２に指示して、メモリ２１３に格納したクリップ情報を読み出させ、表示データ作成部２１５に供給させる。表示データ作成部２１５は、例えばクリップ情報に含まれているサムネイル画像、タイムコード、クリップナンバなどを用いて、表示データを生成し、表示データを電子ペーパー制御部２１６に供給する。電子ペーパー制御部２１６は、表示データに基づいて電子ペーパー部２０１を表示駆動する。
これによって、例えば図５（ａ）に示したような、クリップ内容を表現する静止画表示が実行される。
なお、上述のように電子ペーパーでは、一旦表示を行った後は、次に表示データを与えて表示駆動するまでは、電源オフ状態でも数日〜１０日程度は表示画像を維持する。このため、通常はクリップ情報に基づく表示を実行させた後は、表示データ作成部２１５，電子ペーパー制御部２１６は、表示制御動作を行わなくても良い。
【００４８】
また上記のようにエディットカード２００内には受光部２０２，発光部２０３を備える。
受光部２０２は、例えばフォトディテクタで構成され、受信した光の量に応じた電流を発生させる。受光部２０１で得られた電気信号は、受光回路２２０に供給される。受光回路２２０では、受光部２０１で生成された電流を電圧に変換して増幅し、例えば２値化を行ってデジタル信号を生成する。また、受光回路２２０は、増幅率（利得）の自動調整を行う図示せぬＡＧＣ（Automatic Gain Control）回路を備える。そして受光回路２２０、生成したデジタル信号を復調回路２２１に伝送する。
【００４９】
復調回路２２１は、入力されたデジタル信号に対してＰＬＬ（Phase Locked Loop）処理によるクロック生成や、復調処理を行ってベースバンド信号を得、得られたベースバンド信号をシリアル・パラレル変換部２２２に供給する。
シリアル・パラレル変換部２２２は、入力された信号をパラレル信号に変換してリード／ライト制御部２１２に供給する。
リード／ライト制御部２１２は、光伝送信号としてのパケットデータを解析し、メモリ２１３に格納し、また送信内容を主制御部２１１に通知する。
【００５０】
また光伝送信号出力を行う場合、主制御部２１１は送信するデータを生成し、リード／ライト制御部２１２で送信パケットデータを生成させる。
リード／ライト制御部２１２は、送信用のパケットデータをパラレル・シリアル変換部２２５に供給し、シリアル信号に変換された後、光強度変調回路２２４に伝送される。光強度変調回路２２４は、入力されたデータを、データ量に応じた強度の光に変調する。そして、駆動回路２２３を通して発光部２０３が駆動され、発光部２０３で信号が電光変換されて、生成された光信号が出力される。
【００５１】
エディットカード２００内には、所要数のホール素子２０５、所要数の磁石２０６が設けられる。ホール素子２０５、磁石２０６の機能については後述する。所要数のホール素子２０５は、それぞれ磁気検出に応じた信号を出力する。リード／ライト制御部２１２は、ホール素子２０５からの信号を検出し、主制御部２１１に通知する。主制御部２１１は、ホール素子２０６の信号に基づいて、自己のエディットカード２００の上又は下に他のエディットカード２００が重なっているか否かを判別できる。
【００５２】
ここまでの各部は、バッテリー電源２１７からの電源電圧供給を受けて動作するが、主制御部２１１がバッテリー電源２１７をオンとするのは、主にクリップ情報のダウンロードから電子ペーパー部２０１への表示を実行させるまでの期間と、受光部２０２，発光部２０３を用いた通信を行う期間のみとなる。
上述のように電子ペーパー部２０１は電源オフでも表示を維持するため、常時電源オンとしておく必要はない。
また、クリップ情報のダウンロードから電子ペーパー部２０１への表示を実行させるまでの期間は、カードバインダ１５０から電源供給を受けるようにしてもよい。
【００５３】
エディットカード２００内には、非接触無線通信を行うメモリタグ２０８が設けられている。
このメモリタグ２０８は、電磁界を周辺に形成する機器であるリーダ／ライタ機器との相対距離が電磁界に感応可能な限界距離以内になると、電磁界に感応して作動し、リーダ／ライタとの間で非接触により情報の授受を行う。本例の編集システムの場合、エディットデスク３００内にリーダ／ライタ機能が設けられ、メモリタグ２０８は、エディットデスク３００との間で非接触無線通信を行うことになる。
【００５４】
図８（ａ）は、ワンチップ構成で実現されたメモリタグ２０８の外観を示している。この図８（ａ）に示すように、メモリタグ２０８は、基台となるチップ上に導電パターンがループ状に形成されたコイルアンテナ２４１が配され、このコイルアンテナ２４１にＩＣチップ２５０とキャパシタＣが接続されて構成される。なお、キャパシタＣは共振周波数を調整するものである。
図８（ｂ）は、エディットカード２００を上面側から見た場合のメモリタグ２０８の配置を示している。例えば図のように、平面方向にみて略中央位置であり、かつ図５（ｃ）に示したように、厚み方向の略中央位置に、メモリタグ２０８は配置されている。
【００５５】
図７に示すように、メモリタグ２０８は、外部のリーダ／ライタのコイルアンテナ（本例の場合、後述するエディットデスク３００のＸ，Ｙアンテナアレイ３２０，３２１）との間で電磁界を媒体として誘導結合され、相互誘導により非接触で情報を送受するとともに電力供給を受けるコイルアンテナ２４１と、このコイルアンテナ２４１にそれぞれ接続された復調部２４２および変調部２４３を備える送受信部２４０と、コイルアンテナ２４１にそれぞれ接続された電源部２３２およびクロック抽出部２３３と、メモリタグ２０８の動作を制御するタグ制御部２３０と、このタグ制御部２３０に接続された符号化／復号化部２３４と、タグ制御部２３０に接続された記憶保持動作が不要な書き換え可能な半導体メモリ（ＥＥＰＲＯＭ：Electronically Erasable and Programmable Read Only Memory）２３１を有している。
タグ制御部２３０は、主制御部２１１との間で各種のデータやコマンドの授受が可能とされる。
【００５６】
復調部２４２は、コイルアンテナ２４１に発生した誘導電流を等化処理し、さらに検波および復調して情報を復元し、タグ制御部２３０へ供給する。
また、変調部２４３は、タグ制御部２３０から供給された再生情報に符号化を施したレスポンス情報に基づき負荷インピーダンスをコイルアンテナ２４１に断続させる制御をすることで反射波を変調処理するか、あるいはレスポンス情報に基づき電源部２３２に直接または間接に接続された負荷を断続させる制御をするか、あるいはレスポンス情報で変調（例えばＡＳＫ変調）した別周波数の搬送波をコイルアンテナ２４１へ給電する構成であるかの、いずれかの構成とする。
【００５７】
レスポンス情報に基づきコイルアンテナ２４１の負荷インピーダンスを制御する構成では、外部のリーダ／ライタから電磁界の作用を受け続けているコイルアンテナ２４１から搬送波の反射波を発射させる際に、レスポンス情報に基づき負荷インピーダンスを切換制御することによりコイルアンテナ２４１の反射率を制御し、これにより反射波を前述したレスポンス情報で変調されたものにする。
また、レスポンス情報に基づき電源の負荷を制御する構成では、レスポンス情報に基づいた負荷の切換制御により電源部２３２にかかる負荷を切換えて誘導結合状態にあるメモリタグ２０８側のインピーダンスを変動させることで変調するように構成される。このメモリタグ２０８側のインピーダンス変動は、誘導結合状態にある外部のリーダ／ライタ側で、アンテナの端子電圧変動や投入電力量の変動として検出される。
【００５８】
電源部２３２は、コイルアンテナ２４１が電磁界を介して相互誘導で発生させた高周波の誘導電流を整流して直流電圧を取得し、メモリタグ２０８内の各部に電力供給する。なお、この電源部２３２に、安定な直流電圧を出力するための電圧安定化回路を備えることも可能である。
メモリタグ２０８の各部は電源部２３２からの供給電力によって作動するため、メモリタグ２０８は電池などの他の電源を特に準備する必要はない。つまり、メモリタグ２０８内の各部に対しては、バッテリー電源２１７による電源供給は必要ない。従って、主制御部２１１がバッテリー電源２１７をオフとしている期間でも、メモリタグ２０８は通常に動作できる。
ただし、バッテリー電源２１７などの他の電源を主電源または副電源とする構成も可能である。
【００５９】
クロック抽出部２３３は分周回路を備え、コイルアンテナ２４１で受信した搬送波に基づいて搬送周波数のクロック信号を出力するとともに、このクロック信号を分周して、各デジタル回路部の動作基準クロックとなるマスタークロックを生成して出力する。
【００６０】
半導体メモリ２３１には、少なくともエディットカード２００に固有に与えられたカードＩＤ（エディットカード２００の固体の識別情報）が記憶される。
この半導体メモリ２３１に対する各情報の記録再生は、タグ制御部２３０の制御の下で行われる。
また、クリップ情報をダウンロードした際に、主制御部２１１からクリップナンバ等のデータをタグ制御部２３０に受け渡し、タグ制御部２３０によって半導体メモリ２３１に記憶させることもできる。
【００６１】
タグ制御部２３０は、非接触無線通信の受信時において送受信部２４０から供給される復調された信号を符号化／復号化部２３４へ送る。符号化／復号化部２３４は、タグ制御部２３０から供給される情報の復号化とＣＲＣ符号等に基づく誤り修正とを施してタグ制御部２３０へ返送し、タグ制御部２３０はこれより外部のリーダ／ライタからの指示情報を抽出する。このようにしてリーダ／ライタから電磁界を媒介して付与された情報が復元される。
【００６２】
また送信時、符号化／復号化部２３４は、タグ制御部２３０から供給される情報にＣＲＣ符号等の誤り訂正用コードを付与し、符号化したレスポンス情報をタグ制御部２３０へ返送する。符号化／復号化２３４はデータのエラー訂正機能を含むが、この他にデータの暗号化／復号化機能を備える構成とすることも可能である。
タグ制御部２３０は、符号化／復号化部２３４で符号化したレスポンス情報を変調部２４３に供給する。レスポンス情報を受けた変調部２４３は、所定の変調方式に基づく変調処理を実行する。これを受けて、送受信部２４０は、変調信号を、コイルアンテナ２４１を介して外部のリーダ／ライタへ送る。この送信は、上述したように、メモリタグ２０８の有する送信機能による送信波によるか、反射波によるか、またはインピーダンス変動による原理でなされる。
【００６３】
タグ制御部２３０は、以上の動作制御を行う。
即ち、タグ制御部２３０は、クロック抽出部２３３から供給されたクロックに基づき、復調部２４２から供給された復調信号を符号化／復号化部２３４へ送付し、エラー訂正された信号に基づき各種の情報を抽出し、また記録用の情報を分離抽出して、これら指示情報を解析し、所定の処理を所定の手順で逐次実行する、シーケンス制御機能を備えた半導体ロジック制御回路として構成される。
このような所定の手順に従い、条件を判定して例えば複数ゲートの開閉を時系列で逐次実行する半導体シーケンスコントローラの技術は広く適用されており、タグ制御部２３０はこの技術を利用したものである。
【００６４】
そしてこのメモリタグ２０８によっては、エディットデスク３００との通信の際に、半導体メモリ２３１に記憶されているカードＩＤ（もしくはクリップナンバ）をレスポンス情報として送信することになる。
またエディットデスク３００側からの制御コマンド（例えば電源オン／オフコマンド）を受信した場合、タグ制御部２３０は、そのコマンドを主制御部２１１に通知する。これによってエディットカード２００が、エディットデスク３００からのコマンドに応じた動作を行うことができる。
また、コネクタ２０４（及びカードバインダ１５０）を介してエディットカード２００がノンリニアエディタ１００と通信を行う際や、発光部２０３から光送信を行う際には、カードＩＤを送信することが行われるが、主制御部２１１は、タグ制御部２３０を介して半導体メモリ２３１に記憶されているカードＩＤを読み出して、送信情報を生成することができる。
なお、もちろん、半導体メモリ２３１だけでなく、メモリ２１３にも同じカードＩＤを記憶させておいてもよい。
【００６５】
［II−３．カードバインダ構成］
カードバインダ１５０の構成例を図９に示す。
カードバインダ１５０は、バインダ制御部１５１と、外部インターフェース１５２と、メモリ部１５３と、コネクタ１５４−１、１５４−２・・・１５４−ｎを備える。
このカードバインダ１５０は、例えばノンリニアエディタ１００との間の通信接続を行うことになるが、このため外部インターフェース１５２に設けられる図示しないコネクタによってノンリニアエディタ１００との間でケーブル接続を行うことで、データ通信可能とされる。
【００６６】
コネクタ１５４−１、１５４−２・・・１５４−ｎは、それぞれ１つのエディットカード２００のコネクタ２０４と接続可能なものとされる。即ち、ｎ個のコネクタ１５４−１、１５４−２・・・１５４−ｎが設けられることで、カードバインダ１５０内にｎ個のエディットカード２００が装着可能とされる。
【００６７】
バインダ制御部１５１は、例えばＣＰＵ等で構成され、メモリ部１５３の書込／読出や、通信時のデータ転送制御を行う。
ノンリニアエディタ１００から各エディットカード２００にクリップ情報をダウンロードする際には、外部インターフェース１５２によってノンリニアエディタ１００からのクリップ情報が受信される。
また多数のエディットカード２００がコネクタ１５４−１、１５４−２・・・に接続された状態とされている。
バインダ制御部１５１は、各コネクタ１５４−１、１５４−２・・・に接続されているエディットカード２００から情報（例えばカードＩＤ）を受け取って、外部インターフェース１５２からノンリニアエディタ１００に送信することができる。
またノンリニアエディタ１００は、各クリップ情報について、それぞれカードＩＤを指定してダウンロードしてくるが、外部インターフェース１５２によりクリップ情報が受信された際、バインダ制御部１５１は、指定されたカードＩＤのエディットカード２００に対して、そのクリップ情報を転送出力する動作を行う。
【００６８】
メモリ部１５３は、通信時のクリップ情報その他のデータのバッファリングや、各コネクタ１５４−１、１５４−２・・・に接続されている各エディットカード２００のカードＩＤの記憶などに用いられる。
【００６９】
［II−４．エディットデスク構造］
エディットデスク３００の構成を図１０に示す。
エディットデスク３００は、エディットカード２００のメモリタグ２０８に対するリーダ／ライタとして機能するために、Ｘ軸アンテナアレイ３２０、Ｙ軸アンテナアレイ３２１が設けられる。
例えば図１１（ｂ）（ｃ）にＸ軸アンテナアレイ３２０、Ｙ軸アンテナアレイ３２１を示すが、このＸ軸アンテナアレイ３２０、Ｙ軸アンテナアレイ３２１は、図１１（ａ）のように、編集面３０１の下部においてＸ軸方向及びＹ軸方向に多数のアンテナラインが配設された構造とされる。
Ｘ軸アンテナアレイ３２０、Ｙ軸アンテナアレイ３２１はアンテナ接続バスライン３１８を介してアンテナアレー切替部３１７に接続される。
【００７０】
エディットデスク３００では、リーダ／ライタとして機能するための構成として、さらに、アンテナアレー切替部３１７、アンテナ駆動／受信部３１６、情報送出部３１３、情報検出部３１５と、制御判定部３１４を備える。
これらにより、エディットカード２００のメモリタグ２０８との間での非接触無線通信を行う。
メモリタグ２０８に対する送信モードではメモリタグ２０８へ各種コマンドやカードＩＤの要求を送信する。受信モードではメモリタグ２０８からカードＩＤ等の情報の供給を受ける。
【００７１】
情報送出部３１３は、クロック発生機能と、変調機能と、電力増幅機能を備えて、搬送周波数のクロック信号およびマスタークロックを生成する。この情報送出部３１３は、送信モードでは、制御判定部３１４から供給を受けた送信データに基づき、搬送波に例えばＡＳＫ変調を施して変調信号とする。アンテナ駆動／受信部３１６は、この変調信号を電力増幅してＸ軸アンテナアレイ３２０、Ｙ軸アンテナアレイ３２１を駆動する。
また、情報送出部３１３は、受信モードでは、搬送波を無変調でアンテナ駆動／受信部３１６に供給し、アンテナ駆動／受信部３１６はこれを電力増幅してＸ軸アンテナアレイ３２０、Ｙ軸アンテナアレイ３２１を駆動する。
アンテナアレー切替部３１７は駆動するＸ軸アンテナアレイ３２０、Ｙ軸アンテナアレイ３２１の切替を行う。つまりアンテナアレー切替部３１７で選択された方のアンテナアレイがアンテナ駆動／受信部３１６によって駆動されることになる。
【００７２】
Ｘ軸アンテナアレイ３２０、Ｙ軸アンテナアレイ３２１は、送信モードでは変調信号に基づく電磁界を形成し、受信モードでは搬送波に基づく電磁界を形成し、何れのモードにあっても、メモリタグ２０８側のコイルアンテナ２４１と電磁界を介した誘導結合をする。
【００７３】
情報検出部３１５は、アンテナ端子電圧の検出機能と、復調機能を備える。
制御判定部３１４は、符号化／復号化機能と、このリーダ／ライタ機能としての動作の制御機能と、デスク制御部３１０との間のインタフェース機能を備える。
【００７４】
制御判定部３１４は、送信モードでは、デスク制御部３１０から受けた信号に基づきメモリタグ２０８側へ付与する送信情報を編成する。
情報送出部３１３は、この送信情報に基づいて搬送波を変調し、アンテナ駆動／受信部３１６によって電力増幅され、アンテナアレー切替部３１７で選択されているＸ軸アンテナアレイ３２０又はＹ軸アンテナアレイ３２１を駆動する。これにより、送信情報が載った搬送波による電磁界が形成され、この電磁界によりメモリタグ２０８へ送信情報が付与されると同時に電力供給がなされる。
【００７５】
情報送出部３１３は、受信モードにあっても、情報が載らない無変調の搬送波を出力し、アンテナ駆動／受信部３１６により、アンテナアレー切替部３１７で選択されているＸ軸アンテナアレイ３２０又はＹ軸アンテナアレイ３２１を駆動させ、電磁界を形成させ続ける。この電磁界により、メモリタグ２０８への電力供給が継続されるとともに、メモリタグ２０８からの応答（レスポンス）の検出がなされる。
【００７６】
ここで、メモリタグ２０８が応答内容に対応させてメモリタグ２０８側のコイルアンテナ２４１の負荷状態を変化させるか、メモリタグ２０８側の電力負荷を変化させると、Ｘ軸アンテナアレイ３２０又はＹ軸アンテナアレイ３２１のアンテナと、メモリタグ２０８側のコイルアンテナ２４１とは誘導結合状態にあることから、メモリタグ２０８側の負荷変動に応じて、Ｘ軸アンテナアレイ３２０又はＹ軸アンテナアレイ３２１のアンテナの端子電圧が変動する。この端子電圧変動を情報検出部３１５が検出復調し、制御判定部３１４へ渡す。制御判定部３１４は、誤り訂正を施し、応答（レスポンス）を復元して、デスク制御部３１０及びカード位置検出部３１２に送る。
【００７７】
このような構成及び動作により、エディットデスク３００は、編集面３０１に載置されたエディットカード２００のメモリタグ２０８に対してリーダ／ライタとして機能することになる。
【００７８】
エディットデスク３００では、以上のリーダ／ライタ機能の構成に加え、デスク制御部３１０、カード位置検出部３１２、ＥＤＬ（エディットリスト）作成部３１１、外部インターフェース３０４を備える。また図４に示したように、操作部３０２や表示部３０３を備える。
【００７９】
デスク制御部３１０は、例えばＣＰＵ、ＲＯＭ、ＲＡＭ等を備えたマイクロコンピュータにより形成され、エディットデスク３００の全体を制御する。
即ちデスク制御部３１０は、制御判定部３１４に指示して上記の非接触無線通信を実行させる。またデスク制御部３１０はアンテナアレー切替部３１７を制御して、機能させるアンテナとしてＸ軸アンテナアレイ３２０とＹ軸アンテナアレイ３２１を選択させる。
またデスク制御部３１０は、表示部３０３に編集作業者に提示する所定の表示を実行させる。
またデスク制御部３１０は、操作部３０２からの操作入力に応じて所要の制御を実行する。
【００８０】
カード位置検出部３１２は、アンテナアレー切替部３１７に対する切替制御信号を入力することで、アンテナアレー切替部３１７で選択されているアンテナがＸ軸アンテナアレイ３２０であるかＹ軸アンテナアレイ３２１であるかを認識する。そして情報検出部３１５から受信電界強度の情報や、制御判定部３１４においてエディットカード２００からのレスポンスとして検出される情報（カードＩＤ）を受け取る。
Ｘ軸アンテナアレイ３２０が機能している際には、カード位置検出部３１２は、受信電界強度の情報から、非接触無線通信を実行しているエディットカード２００の、編集面３０１上でのＸ方向位置を判別する。
Ｙ軸アンテナアレイ３２１が機能している際には、カード位置検出部３１２は、受信電界強度の情報から、非接触無線通信を実行しているエディットカード２００の、編集面３０１上でのＹ方向位置を判別する。
これによって、或るエディットカード２００からカードＩＤを受信したときに、そのエディットカード２００の編集面３０１上でのＸＹ座標位置を検出し、これをデスク制御部３１０に通知する。
【００８１】
ＥＤＬ作成部３１１は、カード位置検出部３１２によって検出される、編集面３０１上での各エディットカード２００の水平方向及び垂直方向の配置順序に応じて、各エディットカード２００のカードＩＤによる編集データ（エディットリスト）を作成する。
【００８２】
外部インターフェース３０４は、図４に示した接続端子３０４ａによりケーブル接続された例えばノンリニアエディタ１００等の他の機器との通信処理を行う。例えばＵＳＢインターフェース回路、ＩＥＥＥインターフェース回路などとして構成される。
デスク制御部３１０は、外部インターフェース１５２を介した通信により、例えばＥＤＬ作成部３１１で作成した編集データ（エディットリスト）を、ノンリニアエディタ１００等に送信させることができる。
【００８３】
［II−５．エディットデスクによるＸＹスキャン］
上記のようにエディットデスク３００は、エディットカード２００のメモリタグ２０８に対してリーダ／ライタとして機能できるが、エディットカード２００は、編集面３０１に配置された各エディットカード２００に対して、その並び順を検出する。
エディットデスク３００は、編集面３０１上に例えば図１２（ａ）のようにエディットカード２００が配置されたとすると、各エディットカード２００について、図１２（ｂ）のように、それぞれが内蔵するメモリタグ２０８が配列されていると認識し、各メモリタグ２０８の検出を行うことで、各エディットカード２００の並び順を判別することになる。
説明上、各メモリタグ２０８に記憶されているカードＩＤが、図のように＃１、＃２・・・＃６であるとする。
【００８４】
平面方向（ＸＹ方向）の並び順は、例えば図１３（ａ）の矢印ＳＱ１のように設定する。即ち左上を先頭に、上の行からを下の行に順次進んで、右下の位置に向かう順番を、時系列的な順序であるとする。
また、エディットカード２００が積み重ねられた場合は、図１３（ｂ）の矢印ＳＱ２として示すように、上から下に向かって、時系列的な順序が進むものとする。
編集作業者は、このような順序を認識した上で、各エディットカード２００が表現するクリップの時間的順序を考えながら、エディットカード２００を任意に並べていけばよい。
もちろん、この図１３（ａ）（ｂ）に示した順序は一例にすぎない。また、平面方向に並べる行数や、１行に何個のエディットカード２００を配置するかは、全く編集作業者の任意であるとしてよい。
【００８５】
まずここでは平面方向の配置位置の判別について述べる。
Ｘ軸アンテナアレー３２０とＹ軸アンテナアレー３２１は、上記図１１のように形成されているが、このアンテナアレー３２０，３２１を駆動した際に得られる電界強度を検出することで、カード位置検出部３１２が、エディットカード２００の配置位置（ＸＹ座標位置）を判別する。
【００８６】
図１４を用い、Ｙ軸アンテナアレー３２１を駆動する場合を例にとって説明する。
図１４（ａ）に示すように、Ｙ軸アンテナアレー３２１の各アンテナをＡＴ１，ＡＴ２，ＡＴ３・・・ＡＴｎとする。
また各アンテナＡＴ１，ＡＴ２，ＡＴ３・・・ＡＴｎに対する駆動信号源３６０−１、３６０−２、３６０−３・・・３６０−ｎを示している。これらは、図１０における情報送出部３１３とアンテナ駆動／受信部３１６内の構成を模式的に示したものである。
【００８７】
そして、各アンテナに対して、順次異なる位相で駆動信号を与える。
つまりアンテナＡＴ１の駆動信号源３６０−１については図１４（ｂ）の駆動制御信号ＤAT1によって駆動制御し、アンテナＡＴ２の駆動信号源３６０−２については駆動制御信号ＤAT2によって駆動制御し、アンテナＡＴ３の駆動信号源３６０−３については駆動制御信号ＤAT3によって駆動制御し・・・というように、各アンテナを順次駆動する。
図１２（ａ）のように編集面３０１上でエディットカード２００が１行目と２行目に配置されている場合においては、アンテナが駆動されたタイミングで、各メモリタグ２０８からカードＩＤが読み出されることになるが、各メモリタグ２０８からのレスポンスが得られる際に検出される電界強度は、そのメモリタグ２０８に最も近いアンテナが駆動されたときに最大となる。
【００８８】
今、仮に、図１２（ｂ）に示したカードＩＤ＃１，＃２，＃３の３つのメモリタグ２０８（エディットカード２００）が、Ｙ方向にみて、アンテナＡＴ２に最も近い場所に配置されていたとする。
またカードＩＤ＃４，＃５，＃６の３つのメモリタグ２０８（エディットカード２００）が、Ｙ方向にみて、アンテナＡＴ７に最も近い場所に配置されていたとする。
非接触無線通信では、その通信可能距離の設定にもよるが、或る程度離れていても通信は実行されるので、例えばアンテナＡＴ１から順に駆動していくと、カードＩＤ＃１，＃２，＃３が検出されるレスポンス受信時の電界強度は、アンテナＡＴ２を駆動したときが最大となる。
またカードＩＤ＃４，＃５，＃６が検出されるレスポンス受信時の電界強度は、アンテナＡＴ７を駆動したときが最大となる。
つまり、カード位置検出部３１２は、Ｙ軸アンテナアレー３２１を駆動する際に、各アンテナＡＴ１，ＡＴ２・・・の駆動タイミングと、その際の電界強度、及び受信されたカードＩＤを判定することで、受信されたカードＩＤのＹ方向位置（Ｙ座標値）を判定できる。
例えばアンテナＡＴ１〜ＡＴｎのそれぞれの駆動を終えた時点で、例えばカードＩＤ＃１，＃２，＃３のエディットカード２００が、アンテナＡＴ２に対応するＹ座標値に配置されており、カードＩＤ＃４，＃５，＃６のエディットカード２００が、アンテナＡＴ７に対応するＹ座標値に配置されていることが判別できる。
【００８９】
なお、この例では、アンテナＡＴ１→ＡＴ２→ＡＴ３・・・という順番で駆動しているが、各アンテナの駆動順序はどのような順序でもよい。カード位置検出部３１２が、電界強度判定時に、どのアンテナが駆動されているかを認識できればよい。
【００９０】
Ｘ軸についても同様に判定を行う。
図示は省略するが、Ｘ軸アンテナアレー３２０についても、各アンテナを順次駆動させながら、各エディットカード２００からのレスポンス受信及び電界強度判定を行う。これによってカードＩＤとＸ軸座標の対応を検出できる。
例えば図１２（ｂ）の配置の場合、カードＩＤ＃１，＃４のエディットカード２００の配置位置としてのＸ座標値、カードＩＤ＃２，＃５のエディットカード２００の配置位置としてのＸ座標値、カードＩＤ＃３，＃６のエディットカード２００の配置位置としてのＸ座標値が、それぞれ判定できる。
【００９１】
このように、Ｘ軸アンテナアレー３２０及びＹ軸アンテナアレー３２１によるスキャンによって、カード位置検出部３１２は、各カードＩＤについてのＸＹ座標値を判定できることになる。カード位置検出部３１２は、各カードＩＤのＸＹ座標値をデスク制御部３１０に通知することで、デスク制御部３１０は、各エディットカード２００のＸＹ方向での配置順序（編集作業者が意図した各クリップの時間軸順序）を認識できる。
【００９２】
ここで、アンテナ構造及びＸＹ座標判定の別の例を説明しておく。
上記例では、Ｘ軸アンテナアレー３２０、Ｙ軸アンテナアレー３２１を編集面３０１の直下に配置するものとしたが、例えば図１５（ａ）のように、Ｘ軸アンテナ３５０、Ｙ軸アンテナ３５１を、それぞれ矢印方向に移動させることのできる構造としても良い。
即ちＸ軸アンテナ３５０は、図示しない移動機構によりＸ軸方向に移動し、Ｙ軸アンテナ３５１は、図示しない移動機構によりＹ軸方向に移動するようにする。
【００９３】
今、編集面３０１上に、図のようにカードＩＤ＃１〜＃６のメモリタグ２０８（エディットカード２００）が配置されている状態を考える。
そして、Ｘ方向には、Ｘ座標原点から距離ａの位置に、カードＩＤ＃１，＃４のエディットカード２００が配置され、距離ｂの位置にカードＩＤ＃２，＃５のエディットカード２００が配置され、距離ｃの位置にカードＩＤ＃３，＃６のエディットカード２００が配置されているとする。
またＹ方向には、Ｙ座標原点から距離ｄの位置に、カードＩＤ＃４，＃５，＃６のエディットカード２００が配置され、距離ｅの位置にカードＩＤ＃１，＃２，＃３のエディットカード２００が配置されているとする。
【００９４】
まず、Ｘ軸アンテナ３５０を駆動状態のままでＸ方向に移動させていくと、検出される電界強度は図１６（ａ）のようになる。
例えばＸ方向のスキャン位置が、距離ａ，距離ｂ，距離ｃとなったそれぞれのタイミングで、最大の電界強度が検出される。
そして例えば距離ａのスキャンタイミングでは、＃１、＃４のカードＩＤが検出されたとすると、カードＩＤ＃１，＃４の２つのエディットカード２００のＸ座標値は、「ａ」であると判定できる。
また、次にＹ軸アンテナ３５１を駆動状態のままでＹ方向に移動させていくと、検出される電界強度は図１６（ｂ）のようになる。
即ちＹ方向のスキャン位置が、距離ｄ，距離ｅとなったそれぞれのタイミングで、最大の電界強度が検出される。
例えば距離ｄのスキャンタイミングでは、＃４、＃５、＃６のカードＩＤが検出されたとすると、カードＩＤ＃４、＃５、＃６の３つのエディットカード２００のＹ座標値は、「ｄ」であると判定できる。
【００９５】
カード位置検出部３１２では、このような判定により、結局各カードＩＤに対応して、図１６（ｃ）のようなＸＹ座標値を判定できる。
このように、Ｘ軸アンテナ３５０、Ｙ軸アンテナ３５１を移動可能に構成し、それぞれを駆動状態でスキャン移動させながら電界強度を検出する手法によっても、各エディットカード２００のＸＹ座標値（水平方向の配置位置）を判定することが可能となり、これによってデスク制御部３１０は、各エディットカード２００のＸＹ方向での配置順序（編集作業者が意図した各クリップの時間軸順序）を認識できる。
【００９６】
［II−６．エディットカードの重なり認識及び上下通信］
次にエディットデスク３００上でエディットカード２００が重ねられた場合の上下の順序の検出について説明する。
ここでは一例として、エディットデスク３００が、重ねられたエディットカード２００の一番下のエディットカード２００から、重なり順序の情報を得る方式を述べる。つまり、エディットデスク３００自体が、直接的に各エディットカード２００の重なり順序を検出するのではなく、重ねられたエディットカード２００同志で、それぞれが自己の重なり位置を検出し、その検出結果を、一番下のエディットカード２００が、エディットデスク３００に伝える方式である。
尚、重ねられたエディットカード２００カードの上下の定義は、地球の中心に近い方を下としている。
【００９７】
図１７により、エディットカード２００における、自己の重なり位置検出のための構造を説明する。
図５（ｃ）で述べたように、エディットカード２００の内部には、所定位置にホール素子２０５と磁石２０６が配置される。
図１７（ａ）は、エディットカード２００を図１７（ｂ）（ｃ）に示すＡ−Ａ断面線で見たときの断面構造の模式図である。
エディットカード２００の内部には、その厚み方向に見て、上層ＨＬと下層ＬＬが形成される。上層ＨＬは電子ペーパー部２０１に近い側、下層ＬＬはカード底面に近い側とする。
図１７（ｂ）は上層ＨＬを上から見た状態を示し、また図１７（ｃ）は下層ＬＬを上から見た状態を示している。
【００９８】
エディットカード２００が、その上下面に重ねて置かれた他のエディットカード２００を検出する為に、上層ＨＬと下層ＬＬにおいて、それぞれ所定位置にホール素子２０５と磁石２０６が配置される。
また上層ＨＬと下層ＬＬにおいて、磁石２０６とホール素子２０５が配置される位置では、例えば平面的に見て１／４円形の磁気シールド板２０７が設置される。
上層ＨＬには、図１７（ｂ）のように、磁石２０６ａ，２０６ｂと、ホール素子２０５ａ，２０５ｂが、それぞれ磁気シールド板２０７の上方に固定配置される。
下層ＬＬには、図１７（ｃ）のように、磁石２０６ｃ，２０６ｄと、ホール素子２０５ｃ，２０５ｄが、それぞれ磁気シールド板２０７の下方に固定配置される。
このように、１枚のエディットカード２００には４個のホール素子２０５ａ，２０５ｂ，２０５ｃ，２０５ｄと、４個の磁石２０６ａ，２０６ｂ，２０６ｃ，２０６ｄが固定配置されている。
各ホール素子２０５ａ，２０５ｂ，２０５ｃ，２０５ｄは、磁石のＮ極／Ｓ極を検出し、対応するＤＣ電圧に変換し、図７のリード／ライト制御部２１２に出力する。このホール素子２０５ａ，２０５ｂ，２０５ｃ，２０５ｄの検出情報が伝えられることで、主制御部２１１は、自己のエディットカード２００の上下に他のエディットカード２００が重ねられているか否かを判定できる。
【００９９】
図１７（ａ）のように、上層ＨＬの磁石２０６ａと下層ＬＬのホール素子２０５ｃは上下方向に近接した位置に固定配置されるが、この磁石２０６ａとホール素子２０５ｃの間は磁気シールド板２０７によって磁気的に遮蔽され、磁石２０６ａの磁気がホール素子２０５ｃに干渉しないようにされる。
磁石２０６ｃとホール素子２０５ａの間、磁石２０６ｂとホール素子２０５ｄの間、磁石２０６ｄとホール素子２０５ｂの間も、それぞれ磁気シールド板２０７で磁気的に遮蔽される。
そして、上層ＨＬにおけるホール素子２０５ａ，２０５ｂは、電子ペーパー部２０１側の面に他のエディットカード２００が重なっているか否かを検出するためのものとされ、下層ＬＬにおけるホール素子２０５ｃ，２０５ｄは、電子ペーパー部２０１の反対側の面（カード底面側）に他のエディットカード２００が重なっているか否かを検出するためのものとされる。
【０１００】
図１８（ａ）（ｂ）は、３枚のエディットカード２００Ａ、２００Ｂ、２００Ｃが重ねられた状態を模式的に示している。図１８（ａ）は、図１７（ｂ）（ｃ）のＡ−Ａ断面線で見た場合、図１８（ｂ）は図１７（ｂ）（ｃ）のＢ−Ｂ断面線で見た場合を、それぞれ示している。
【０１０１】
図１８（ａ）（ｂ）に示すように、一番上のエディットカード２００Ａのホール素子２０５ｃは、その下のエディットカード２００Ｂの磁石２０６ａのＳ極に近接するため、Ｓ極検出電圧を出力する。
また、このエディットカード２００Ａのホール素子２０５ｄは、エディットカード２００Ｂの磁石２０６ｂのＮ極に近接するため、Ｎ極検出電圧を出力する。
また、このエディットカード２００Ａのホール素子２０５ａ、２０５ｂは、上に他のエディットカード２００（の磁石）が無いため、磁気を検出しない。
【０１０２】
真ん中のエディットカード２００Ｂのホール素子２０５ｃは、その下のエディットカード２００Ｃの磁石２０６ａのＳ極に近接するため、Ｓ極検出電圧を出力する。
また、このエディットカード２００Ｂのホール素子２０５ｄは、エディットカード２００Ｃの磁石２０６ｂのＮ極に近接するため、Ｎ極検出電圧を出力する。
また、このエディットカード２００Ｂのホール素子２０５ａは、その上のエディットカード２００Ａの磁石２０６ｃのＮ極に近接するため、Ｎ極検出電圧を出力する。
また、このエディットカード２００Ｂのホール素子２０５ｂは、エディットカード２００Ａの磁石２０６ｄのＳ極に近接するため、Ｓ極検出電圧を出力する。
【０１０３】
一番下のエディットカード２００Ｃのホール素子２０５ａは、その上のエディットカード２００Ｂの磁石２０６ｃのＮ極に近接するため、Ｎ極検出電圧を出力する。
また、このエディットカード２００Ｃのホール素子２０５ｂは、エディットカード２００Ｂの磁石２０６ｄのＳ極に近接するため、Ｓ極検出電圧を出力する。
また、このエディットカード２００Ｃのホール素子２０５ｃ、２０５ｄは、下に他のエディットカード２００（の磁石）が無いため、磁気を検出しない。
【０１０４】
つまり、４つのホール素子２０５ａ，２０５ｂ，２０５ｃ，２０５ｄの検出出力は、次のようになる。下記「  」「  」「  」「  」はホール素子２０５ａ，２０５ｂ，２０５ｃ，２０５ｄの各検出出力を示す。（「無」は無検出、「Ｓ」はＳ極検出、「Ｎ」はＮ極検出）
最上段  ：「無」「無」「Ｓ」「Ｎ」
中間位置：「Ｎ」「Ｓ」「Ｓ」「Ｎ」
最下段  ：「Ｎ」「Ｓ」「無」「無」
【０１０５】
また、仮に自己のエディットカード２００が、他のエディットカード２００に対して同一平面内で１８０度回転して重ねられている場合は、検出出力は次のようになる。
最上段  ：「無」「無」「Ｎ」「Ｓ」
中間位置：「Ｓ」「Ｎ」「Ｎ」「Ｓ」
最下段  ：「Ｓ」「Ｎ」「無」「無」
【０１０６】
以上のようにホール素子２０５ａ，２０５ｂ，２０５ｃ，２０５ｄの検出結果が得られることから、各エディットカード２００の主制御部２１１は、重ねられた際に、自己が、上下の位置として、最上段か、中間位置か、最下段かを判別できることになる。
結局、各エディットカード２００の主制御部２１１は、ホール素子２０５ａ，２０５ｂ，２０５ｃ，２０５ｄの検出結果により、
・重ねられていない（各検出結果が全て「無」の場合）
・下側にのみ他のエディットカード２００がある（＝重なりの最上段）
・上下に他のエディットカード２００がある（＝重なりの中間位置）
・上側にのみ他のエディットカード２００がある（＝重なりの最下段）
の４つの状態を、常時判定できることになる。
【０１０７】
なお、図１７，図１８では１枚のエディットカード２００にホール素子２０５が合計４個と、磁石２０６が合計４個、用いられる例としたが、例えば図１９（ａ）（ｂ）（ｃ）のように、２つのホール素子２０５と、２つの磁石２０６の構成も考えられる。
図１９（ａ）は、エディットカード２００を図１９（ｂ）（ｃ）に示すＤ−Ｄ断面線で見たときの断面構造の模式図である。図１９（ｂ）は上層ＨＬを上から見た状態を示し、また図１９（ｃ）は下層ＬＬを上から見た状態を示している。
【０１０８】
この場合、図１９（ｂ）（ｃ）に示すように、エディットカード２００を、その４隅の１つを切欠部２０９とした形状とする。
編集作業者は、編集面３０１上でエディットカード２００を積み重ねる場合は、切欠部２０９を合わせて重ねるようにする。
上層ＨＬには、図１９（ｂ）のように、磁石２０６ａと、ホール素子２０５ａが、それぞれ磁気シールド板２０７の上方に固定配置される。
下層ＬＬには、図１９（ｃ）のように、磁石２０６ｂと、ホール素子２０５ｂが、それぞれ磁気シールド板２０７の下方に固定配置される。
このように、１枚のエディットカード２００には２個のホール素子２０５ａ，２０５ｂと、２個の磁石２０６ａ，２０６ｂが固定配置されるようにする。
そして、上層ＨＬにおけるホール素子２０５ａは、電子ペーパー部２０１側の面に他のエディットカード２００が重なっているか否かを検出するためのものとされ、下層ＬＬにおけるホール素子２０５ｂは、電子ペーパー部２０１の反対側の面（カード底面側）に他のエディットカード２００が重なっているか否かを検出するためのものとされる。
【０１０９】
図２０（ａ）（ｂ）は、３枚のエディットカード２００Ａ、２００Ｂ、２００Ｃが重ねられた状態を模式的に示している。図２０（ａ）は、図１９（ｂ）（ｃ）のＣ−Ｃ断面線で見た場合、図２０（ｂ）は図１９（ｂ）（ｃ）のＤ−Ｄ断面線で見た場合を、それぞれ示している。
【０１１０】
図２０（ａ）（ｂ）に示すように、一番上のエディットカード２００Ａのホール素子２０ｂは、その下のエディットカード２００Ｂの磁石２０６ａのＮ極に近接するため、Ｎ極検出電圧を出力する。
また、このエディットカード２００Ａのホール素子２０５ｂは、上に他のエディットカード２００（の磁石）が無いため、磁気を検出しない。
真ん中のエディットカード２００Ｂのホール素子２０５ｂは、その下のエディットカード２００Ｃの磁石２０６ａのＮ極に近接するため、Ｎ極検出電圧を出力する。
また、このエディットカード２００Ｂのホール素子２０５ａ、上のエディットカード２００Ａの磁石２０６ｂのＳ極に近接するため、Ｓ極検出電圧を出力する。
一番下のエディットカード２００Ｃのホール素子２０５ａは、その上のエディットカード２００Ｂの磁石２０６ｂのＳ極に近接するため、Ｓ極検出電圧を出力する。
また、このエディットカード２００Ｃのホール素子２０５ｂは、下に他のエディットカード２００（の磁石）が無いため、磁気を検出しない。
【０１１１】
編集作業者が、切欠部２０９を揃えて積み重ねることを前提とすれば、以上のホール素子２０５ａ，２０５ｂの検出結果により、重なりの最上段、中間位置、最下段、又は重ねられていないことを検出できる。
【０１１２】
ここまで、エディットカード２００が、自分の重なり位置状態を検出する手法について説明したが、続いて、重なったエディットカード２００同志での通信について述べる。
重ねられた上下のエディットカード２００の間では、発光部２０３，受光部２０２を用いた光通信により、自己のカードＩＤを伝達する通信を行う。
この光通信は、最上段のエディットカード２００から最下段のエディットカード２００に向かって順番に行う。
【０１１３】
図２１（ｂ）は、図１７（ｂ）と同様に、エディットカード２００の上層ＨＬを上から見た状態（図１７（ｂ）に受光部２０２とメモリタグ２０８を追加記載）、また図２１（ａ）は、図２１（ｂ）のＥ−Ｅ断面線での断面構造を、模式的に示している。
受光部２０２は、エディットカード２００の電子ペーパー部２０１側の略中央位置に置いて上向きに配置され、発光部２０３は、カード底面側の略中央位置において下向きに配置されている。
【０１１４】
図２１（ｃ）は、４枚のエディットカード２００Ａ、２００Ｂ、２００Ｃ、２００Ｄが積み重ねられた状態において、受光部２０２，発光部２０３を示している。
エディットカード２００Ａ、２００Ｂ、２００Ｃ、２００Ｄの各カードＩＤは、それぞれ＃６，＃２，＃８，＃９であるとする。
この場合、最上段のエディットカード２００Ａは、自己のカードＩＤ（＃６）を発光部２０３からの光通信で、下のエディットカード２００Ｂに伝える。
エディットカード２００Ｂは、受光部２０２により光信号を検知し、上のエディットカード２００ＡのカードＩＤが＃６であることを認識する。
【０１１５】
続いて、エディットカード２００Ｂは、エディットカード２００ＡのカードＩＤ（＃６）と、自己のカードＩＤ（＃２）を、発光部２０３からの光通信で、下のエディットカード２００Ｃに伝える。
エディットカード２００Ｃは、受光部２０２により光信号を検知し、上の２枚のエディットカード２００Ａ、２００ＢのカードＩＤが＃６、＃２であることを認識する。
続いて、エディットカード２００Ｃは、エディットカード２００ＡのカードＩＤ（＃６）と、エディットカード２００ＢのカードＩＤ（＃２）と、自己のカードＩＤ（＃８）を、発光部２０３からの光通信で、下のエディットカード２００Ｄに伝える。
最下段のエディットカード２００Ｄは、受光部２０２により光信号を検知し、上の３枚のエディットカード２００Ａ、２００Ｂ、２００ＣのカードＩＤが＃６、＃２、＃８であることを認識する。
自己が最下段である場合、この受信した情報から、上に重ねられた各エディットカード２００の順番に、自己のカードＩＤを付加して、重なり順序の情報を設定する。
つまりこの場合、最下段のエディットカード２００Ｄは、自己を含めて重ねられた４枚のエディットカード２００Ａ、２００Ｂ、２００Ｃ、２００Ｄは、それぞれカードＩＤが＃６、＃２、＃８、＃９であることを認識し、かつその時間的順序（編集作業者が意図する時間的順序）が、「＃６→＃２→＃８→＃９」であると認識し、これをエディットデスク３００との非接触無線通信時のレスポンスデータとする。
【０１１６】
上述のように、エディットデスク３００は、Ｘ軸アンテナアレー３２０、Ｙ軸アンテナアレー３２１によるＸＹ方向のスキャンによって水平方向に並べられた各エディットカード２００の順序を、カードＩＤ順序として判別するが、積み重なりの最下段のエディットカード２００Ｄは、そのＸＹ方向のスキャンの際に、「＃６→＃２→＃８→＃９」という重なり全体のカードＩＤ順序の情報をエディットデスク３００に送信する。
これによって、エディットデスク３００が、積み重ねられたひとかたまりのエディットカード２００について、水平位置の順序とともに、重なり方向の順序を認識できることになる。
【０１１７】
なお、上下のエディットカード２００の間の光通信は、例えば図２２のような構造のパケットデータの伝送として行えばよい。
パケットは、図２２（ａ）に示すように、パケットヘッダに続いて、データ領域ＡＲ１、ＡＲ２・・・ＡＲｍ、ＣＲＣパリティを有する構造とする。
パケットヘッダは、パケット識別子、パケットレングス、各データ領域の位置などの情報を含む。
各エディットカード２００は、それぞれデータ領域ＡＲ１，ＡＲ２・・・ＡＲｍを順番に使用して、自己のカードＩＤを次のエディットカード２００に伝える。
例えば図２１（ｃ）の場合で言えば、最上段のエディットカード２００Ａは、図２２（ｂ）のようにデータ領域ＡＲ１に自己のカードＩＤ（＃６）をデータとして付加したパケットを生成し、このパケットデータをエディットカード２００Ｂに光送信する。
この図２２（ｂ）のパケットデータを受信したエディットカード２００Ｂは、次にデータ領域ＡＲ２に自己のカードＩＤ（＃２）をデータとして付加し、図２２（ｃ）のパケットデータをエディットカード２００Ｃに光送信する。
この図２２（ｃ）のパケットデータを受信したエディットカード２００Ｃは、次にデータ領域ＡＲ３に自己のカードＩＤ（＃８）をデータとして付加し、図２２（ｄ）のパケットデータをエディットカード２００Ｄに光送信する。
最下段のエディットカード２００Ｄは、図２２（ｄ）のパケットデータを受信することで、自己のカードＩＤ（＃９）を含め、上記「＃６→＃２→＃８→＃９」という時間的順序を認識できることになる。
【０１１８】
［II−７．編集手順］
本例の編集システムを用いた動画編集作業の手順について説明する。
図２３は、上述してきたノンリニアエディタ１００、カードバインダ１５０、複数のエディットカード２００、及びエディットデスク３００を使用して行う編集作業の手順をステップＳＴ１〜ＳＴ８として示している。
【０１１９】
ステップＳＴ１は、本例のシステムを使用する前にクリップを用意する作業を示している。
まずマスター編集機（ノンリニアエディタ１００）において、各クリップのイン点、アウト点の設定が行われる。
例えば図２４には、映像素材としてのクリップＣＬ１，ＣＬ２，ＣＬ３を示しているが、このような映像素材のそれぞれについて、映像コンテンツで使用する部分（斜線部）をイン点からアウト点としてカット編集する。
なお、１つのクリップについて１つのイン点、アウト点を設定する場合の他、クリップＣＬ３として示すように、１つのクリップから複数のイン点、アウト点を設定し、２つのクリップＣＬ３−１，ＣＬ３−２を切り出す場合もある。
いずれにしても、カット編集として切り出されたクリップ（斜線部の映像）が、１つの単位映像として、本例のエディットカード２００を用いる編集に使用される。
【０１２０】
ノンリニアエディタ１００において、イン点からアウト点までの単位映像としての多数のクリップを設定したら、次に、ステップＳＴ２として、各エディットカード２００に各クリップ情報をダウンロードする。
クリップ情報の内容は、上述したように多様に想定されるが、ここでは一例として、クリップナンバ（クリップの識別子）、イン点及びアウト点のタイムコード、イン点及びアウト点とされたフレームのサムネイル画像が含まれるとする。
この場合、カードバインダ１５０に所要数のエディットカード２００を装着した状態で、カードバインダ１５０をノンリニアエディタ１００に接続する。そしてカードバインダ１５０を介してノンリニアエディタ１００から各エディットカード２００にクリップ情報がダウンロードされる。例えば図２４のようにカット編集した場合、クリップＣＬ１のクリップ情報が１枚のエディットカード２００にダウンロードされ、またクリップＣＬ２のクリップ情報が１枚のエディットカード２００にダウンロードされ、またクリップＣＬ３−１のクリップ情報が１枚のエディットカード２００にダウンロードされ、クリップＣＬ３−２のクリップ情報が１枚のエディットカード２００にダウンロードされる。
【０１２１】
各エディットカード２００にクリップ情報がダウンロードされると、各エディットカード２００は、それぞれ電子ペーパー部２０１に図５（ａ）のような表示を行って、クリップ内容を表現する。
ステップＳＴ３として編集作業者は、このようなエディットカード２００を、エディットデスク３００上で、水平、垂直方向に、意図する順序で並べていく。
【０１２２】
編集作業者は、自分の思うとおりにエディットカード２００を並べ終えたら、エディットデスク３００に並び順序の読取を指示する。
エディットデスク３００はステップＳＴ４として、編集面３０１上に水平、垂直方向に並べられたエディットカード２００の順序を読み取る。
そしてステップＳＴ５でで、読み取った時間的順序に基づいて編集データ（ＥＤＬ）を作成し、作成した編集データをノンリニアエディタ１００にアップロードする。
【０１２３】
編集作業者は、ステップＳＴ６として編集結果を確認する。例えばノンリニアエディタ１００において、エディットデスク３００からアップロードされた編集データに基づいて映像を再生させ、編集作業者は、それを確認する。即ち多数のクリップが編集データで指定された順序に連結された映像コンテンツを再生させて編集結果を確認する。
ステップＳＴ７で編集作業者がＯＫと判断すれば、一連の編集作業は終了され、ノンリニアエディタ１００においては、完パケとしての映像コンテンツが作成されたことになる。
もし、ＯＫでなければステップＳＴ８に進む。編集作業者は、ステップＳＴ８で、或るクリップについてイン点、アウト点の変更が必要か否かを判断する。クリップ自体の変更が必要ない場合は、ステップＳＴ３の作業からやり直す。つまり、エディットカード２００をそのまま使用して、再度エディットデスク３００上で順番を考える。
また、クリップ自体のイン点、アウト点の変更を行う場合は、ステップＳＴ１から作業をやり直す。
【０１２４】
［II−８．エディットカードへのクリップダウンロード動作］
一連の編集作業手順は、以上のようになる。
ここでは、図２３のステップＳＴ２としてのクリップ情報のエディットカード２００へのダウンロードの際の各機器の動作について説明する。
図２５は、ノンリニアエディタ１００のＮＬＥ制御部１０１と、カードバインダ１５０のバインダ制御部１５１の、クリップ情報ダウンロード時の処理例を示している。
【０１２５】
まずノンリニアエディタ１００側では、編集作業者は、例えば上記図２３のステップＳＴ１でイン点、アウト点を設定したクリップを複数選択し、これらについてのクリップ情報のダウンロードを指示する操作を行う。
これに応じて、ノンリニアエディタ１００のＮＬＥ制御部１０１は、まずステップＦ１０２で、選択された複数のクリップについて、クリップ情報をダウンロードする複数のクリップをクリップＣＬ１〜ＣＬｍとして設定する。例えばイン点からアウト点としての各映像単位を、それぞれ１つのダウンロード対象クリップとして設定する。
【０１２６】
続いてＮＬＥ制御部１０１は、ステップＦ１０３で、カードバインダ１５０に対して、装着されている全てのエディットカード２００についてのカードＩＤを送信するようにＩＤ要求情報を送信する。
カードバインダ１５０のバインダ制御部１５１は、ＩＤ要求情報を受信したら、ステップＦ２０１からＦ２０２に進み、まず装着されている全てのエディットカード２００についてのカードＩＤを取得する。
例えばバインダ制御部１５１は、装着されている多数のエディットカード２００に対して順次、主制御部２１１との間で通信を行い、カードＩＤを通知させ、メモリ部１５３に取り込んでいく。
この動作によって、バインダ制御部１５１は、メモリ部１５３に、各コネクタ１５４に接続されているエディットカード２００のカードＩＤを、コネクタ番号と対応づけて記憶させていくことができる。
【０１２７】
なお、バインダ制御部１５１は、特にノンリニアエディタ１００からのＩＤ要求情報を受信しない時点、例えばエディットカード２００がコネクタ１５４に装着される毎に、そのエディットカード２００からカードＩＤを読み出し、メモリ部１５３にコネクタ番号と対応させて記憶させておいても良い。
【０１２８】
バインダ制御部１５１は、装着されている全てのエディットカード２００についてのカードＩＤを取得したら、ステップＦ２０３で、その全てのカードＩＤをノンリニアエディタ１００に送信する。
ノンリニアエディタ１００のＮＬＥ制御部１０１は、カードＩＤを受信したら、ステップＦ１０４からＦ１０５に進み、ステップＦ１０２でダウンロード対象として設定したｍ個のクリップと、各カードＩＤの対応付けを行う。
例えばダウンロード対象としてクリップＣＬ１〜ＣＬ８の８個のクリップが設定されているとする。また、カードバインダ１５０には１０個のエディットカード２００が装着されており、バインダ制御部１５１から１０個の各カードＩＤ＃１〜＃１０が通知されたとする。
ＮＬＥ制御部１０１は、各クリップＣＬ１〜ＣＬ８のそれぞれにカードＩＤを対応づける。例えば図２６のように、クリップＣＬ１に対してカードＩＤ＃１、クリップＣＬ２に対してカードＩＤ＃２、クリップＣＬ３に対してカードＩＤ＃３・・・というように対応付けを行い、この対応付けの情報を記憶する。
【０１２９】
なお、もしエディットカード２００がカードバインダ１５０に１つも装着されていなかったり、ダウンロード対象として設定されたクリップ数より少数のエディットカード２００しか装着されていなかったような場合、作業者にエラー通知を行い、今回のダウンロードに十分な数のエディットカード２００をカードバインダ１５０に装着するように求めるようにしても良い。
【０１３０】
例えば図２６のような対応付けを終えたら、ＮＬＥ制御部１０１はステップＦ１０６以降でクリップ情報のダウンロードを開始する。
まずＮＬＥ制御部１０１はステップＦ１０６で変数Ｍ＝１とする。
そしてＮＬＥ制御部１０１はステップＦ１０７で、クリップＣＬ（Ｍ）のクリップ情報を、そのクリップに対応づけたカードＩＤを指定してカードバインダ１５０に送信する。図２６の例に沿えば、変数Ｍ＝１の時点では、クリップＣＬ１のクリップ情報（クリップナンバ、イン点タイムコード、アウト点タイムコード、イン点サムネイル画像、アウト点サムネイル画像を含む情報）を、カードＩＤ＃１を指定して送信することになる。
【０１３１】
カードバインダ１５０のバインダ制御部１５１は、ステップＦ２０４でクリップ情報を受信したら、ステップＦ２０５で、カードＩＤで指定されたエディットカード２００に、クリップ情報を転送する。例えばクリップＣＬ１のクリップ情報を、カードＩＤ＃１のエディットカード２００の主制御部２１１に対して送信することになる。
その後、ステップＦ２０６で終了通知が受信されなければステップＦ２０４で、次のクリップ情報の受信を待機する。
【０１３２】
ＮＬＥ制御部１０１では、１つのクリップ情報の送信を終えたら、ステップＦ１０８で変数Ｍとクリップ数ｍを確認し、全てのダウンロード対象クリップについてのクリップ情報の送信を終えたか否かを確認する。
終えていなければ、ＮＬＥ制御部１０１はステップＦ１０９で変数Ｍをインクリメントして、ステップＦ１０７に戻る。従って、次にはクリップＣＬ２のクリップ情報を、カードＩＤ＃２を指定して送信することになる。
これに応じてバインダ制御部１５１は、再びステップＦ２０４からでＦ２０５に進み、カードＩＤで指定されたエディットカード２００に、クリップ情報を転送する。例えばクリップＣＬ２のクリップ情報を、カードＩＤ＃２のエディットカード２００の主制御部２１１に対して送信することになる。
【０１３３】
このステップＦ１０７，Ｆ２０５の動作が、ステップＦ１０８で変数Ｍ＝ダウンロード対象クリップ数ｍとなるまで繰り返される。
そしてｍ個の各クリップＣＬ１〜ＣＬｍについて、クリップ情報の送信を終了したら、ＮＬＥ制御部１０１はステップＦ１１０に進み、バインダ制御部１５１に対して終了通知を送信してダウンロード処理を終える。
バインダ制御部１５１は、ステップＦ２０６で終了通知を受信することに応じて処理を終える。
このような図２５の処理により、複数のクリップＣＬ１〜ＣＬｍのそれぞれのクリップ情報が、ｍ個のそれぞれ別のエディットカード２００にダウンロードされることになる。
【０１３４】
各エディットカード２００においては、主制御部２１１は、バインダ制御部１５１のステップＦ２０５の処理でクリップ情報が送信されてきた際に、図２７の処理を行う。
即ち主制御部２１１は、クリップ情報を受信したら、処理をステップＦ３０１からＦ３０２に進め、リード／ライト制御部２１２に指示して、受信したクリップ情報をメモリ２１３に格納させる。
そしてステップＦ３０３では、主制御部２１１は、リード／ライト制御部２１２に指示して、メモリ２１３に記憶したクリップ情報のうちで表示に用いるデータとして、クリップナンバ、イン点タイムコード、アウト点タイムコード、イン点サムネイル画像、アウト点サムネイル画像の各データを読み出させて表示データ作成部２１５に転送させ、表示データを作成させる。そしてその表示データに基づく電子ペーパー部２０１における表示を実行させる。
この図２７の処理により、エディットカード２００では、電子ペーパー部２０１において図５のような表示が実行され、編集作業者に対して１つのクリップを表現する状態となる。
【０１３５】
各エディットカード２００が、クリップ情報を受信した際に、このような処理を行う頃で、各エディットカード２００が、それぞれＮＬＥ制御部１０１で対応づけられたクリップを表現する状態となる。
この後、編集作業者は、各エディットカード２００をカードバインダ１５０から外す。そして図２３で述べたステップＳＴ３として、エディットデスク３００上で各エディットカード２００を水平、垂直方向に並べる作業を行うことになる。
【０１３６】
なお、主制御部２１１は、この図２７の処理を行う際（カードバインダ１５０に装着されている際）は、バッテリー電源２１７による電源供給をオンとして動作するか、或いは、カードバインダ１５０から電源供給を受けて動作するようにする。
但し、バッテリー電源２１７による電源供給をオンとしていたとしても、ステップＦ３０３での電子ペーパー部２０１での表示を終えた後は、動作電源は不要となるため、主制御部２１１は、バッテリー電源２１７による電源供給をオフとする。
電子ペーパー部２０１は、無電源状態で表示を維持するため、エディットカード２００がカードバインダ１５０から取り外された後は電源不要であり、主制御部２１１はバッテリー電源２１７による電源供給をオフとしておけばよい。
【０１３７】
［II−９．エディットデスクでの編集時の動作］
図２３のステップＳＴ３として、編集作業者は、制作しようとする映像コンテンツをイメージしながら、各エディットカード２００を並べていく。そして、各クリップの時系列順序を決めた時点で、エディットデスク３００にステップＳＴ４としての読取（エディットカード２００の並び順の判定）を実行させ、その後ステップＳＴ５で編集データの作成及びノンリニアエディタ１００へのアップロードが行われる。
ここでは、図２３のステップＳＴ４，ＳＴ５の際に行われるエディットデスク３００とエディットカード２００の処理について説明する。
【０１３８】
図２８は、編集作業者がエディットデスク３００上でエディットカード２００の配列を終え、エディットデスク３００に読み取りを指示する操作を行った際の、デスク制御部３１０の処理を示している。
編集作業者が操作部３０２により、エディットカード２００の並び順序の読み取り指示の操作を行うことに応じて、デスク制御部３１０は、図２８の処理をステップＦ４０１からＦ４０２に進める。
【０１３９】
まずデスク制御部３１０はステップＦ４０２で、制御判定部３１４に、非接触無線通信によって編集面３０１上の各エディットカード２００に対して電源オンのコマンドを送信させる。
この場合、Ｘ軸アンテナアレー３２０もしくはＹアンテナアレー３２１のいずれかが選択され、選択されたアンテナアレーの全アンテナ（もしくは一部のアンテナでもよい）が駆動されて、編集面３０１上の全エディットカード２００に対して、電源オンコマンドが送信されることになる。
そしてデスク制御部３１０は、ステップＦ４０３で、非接触無線通信により全エディットカード２００に対して準備確認要求コマンドを送信しながら、そのレスポンスにより、ステップＦ４０４で全エディットカード２００側の準備完了が確認されることを待機する。
【０１４０】
編集面３０１上に並べられた各エディットカード２００では、メモリタグ２０８によってエディットデスク３００からの電源オンコマンドが受信された場合、その電源オンコマンドがタグ制御部２３０から主制御部２１１に伝えられ、主制御部２１１によって図２９の処理が開始される。
【０１４１】
電源オンコマンドを受信したら、主制御部２１１は図２９のステップＦ３２０からＦ３２１に進み、まずバッテリー電源２１７による電源供給を開始させる。
【０１４２】
次にステップＦ３２２では、主制御部２１１はタグ制御部２３０に対して、準備未了のレスポンスをエディットデスク３００に伝えるための通知設定を指示する。即ちエディットデスク３００からは、上記ステップＦ４０３で準備確認要求コマンドを繰り返し送信してくるが、そのレスポンスとして「準備未了」を示す情報を送信するようにタグ制御部２３０に指示する。タグ制御部２３０は、準備確認要求コマンドに対するレスポンスデータとして、「準備未了」を示す情報を半導体メモリ２３１にセットする。
また、ここでエディットデスク３００からのＩＤ要求コマンドに対してのレスポンス設定として、自己のカードＩＤの送信を行うように設定する。
エディットデスク３００は、後述する図２８のステップＦ４０６でのＸＹスキャンの際に、ＩＤ要求コマンドを発信してくるが、このレスポンス設定とは、このＩＤ要求コマンドに対して、自己のカードＩＤを返信することの設定である。タグ制御部２３０は、ＩＤ要求コマンドに対して自己のカードＩＤを送信するというレスポンス設定を行う。
【０１４３】
続いて主制御部２１１はステップＦ３２３で、ホール素子２０５（例えば図１８に示したホール素子２０５ａ，２０５ｂ，２０５ｃ，２０５ｄ）の磁気検出信号を確認して、自己のエディットカード２００のＺ方向位置（重なり位置）を判別する。
即ち主制御部２１１は、ホール素子２０５の検出結果により、自己のエディットカード２００が、他のエディットカード２００と重ねられているかいないか、また重ねられている場合は最上段、中間位置、最下段のいずれであるかを認識する。
【０１４４】
自己のエディットカード２００が、他のエディットカード２００と重ねられていない場合は、主制御部２１１はステップＦ３２４からＦ３３２に進み、準備完了のレスポンスをエディットデスク３００に伝えるための通知設定を行う。即ちエディットデスク３００からの上記ステップＦ４０３での準備確認要求コマンドに対するレスポンスとして「準備完了」を示す情報を送信するようにタグ制御部２３０に指示する。タグ制御部２３０は、準備確認要求コマンドに対するレスポンスデータとして、それまでセットしていた「準備未了」の情報を、「準備完了」示す情報に半導体メモリ２３１上で書き換える。
そしてステップＦ３３３で電源オフのコマンドの受信を待機する。
【０１４５】
自己のエディットカード２００が他のエディットカード２００と重ねられている場合は、ステップＦ３２４からＦ３２５に進む。
そして自己のエディットカード２００が最上段である場合は、ステップＦ３３０に進み、主制御部２１１は、カードＩＤパケット送信制御を行う。即ちリード／ライト制御部２１２に指示して、図２２（ｂ）のようにデータ領域ＡＲ１に自己のカードＩＤを書き込んだパケットを生成させ、発光部２０３から光変調信号として送信出力させる。
【０１４６】
そして光送信を終えたら、ステップＦ３３１に進み、エディットデスク３００からのＩＤ要求コマンドに対してのレスポンス停止の設定を行う。
これは、エディットデスク３００が後述する図２８のステップＦ４０６でのＸＹスキャンの際にＩＤ要求コマンドを発信したときに、最上段のエディットカード２００の場合は、メモリタグ２０８が、そのＩＤ要求コマンドに対して反応しない（もしくは無効データを返信する）ようにする設定を行うものである。
上記ステップＦ３２２では、ＩＤ要求コマンドに対して自己のカードＩＤを送信する基本設定がなされるが、この場合、タグ制御部２３０は主制御部２１１からのレスポンス停止設定の指示に応じて、ステップＦ３２２での自己のカードＩＤの送信設定を無効化し、ＩＤ要求コマンドに対するレスポンス停止設定を行う。
【０１４７】
その後、主制御部２１１はステップＦ３３２に進み、タグ制御部２３０に対して、準備完了のレスポンスをエディットデスク３００に伝えるための通知設定を行う。タグ制御部２３０は、準備確認要求コマンドに対するレスポンスデータとして、それまでセットしていた「準備未了」の情報を、「準備完了」示す情報に半導体メモリ２３１上で書き換える。
そしてステップＦ３３３で電源オフのコマンドの受信を待機する。
【０１４８】
自己のエディットカード２００が他のエディットカード２００と重ねられているが、最上段ではない場合は、主制御部２１１はステップＦ３２６に進む。そして上段のエディットカード２００からの光通信によるパケット受信を待機する。
受光部２０２からの受光回路系によって上段のエディットカード２００からのパケット受信があったら、ステップＦ３２７で、重なりの中間位置であるか最下段であるかにより処理を分岐する。
自己のエディットカード２００が重なりの中間位置である場合は、ステップＦ３２８に進み、主制御部２１１は、カードＩＤパケット送信制御を行う。
即ちリード／ライト制御部２１２に指示して、受信したパケット構造に自己のカードＩＤを追加した、例えば図２２（ｃ）（ｄ）のようなパケットを生成させ、発光部２０３から光変調信号として送信出力させる。
【０１４９】
そして光送信を終えたら上記最上段の場合と同様に、主制御部２１１はステップＦ３３１で、タグ制御部２３０に、エディットデスク３００からのＩＤ要求コマンドに対してのレスポンス停止の設定を指示する。つまりエディットデスク３００がＩＤ要求コマンドを発信したときに、中間位置のエディットカード２００の場合も、メモリタグ２０８が、そのＩＤ要求コマンドに対して反応しない（もしくは無効データを返信する）ようにする設定を行う。
またステップＦ３３２で、タグ制御部２３０に対して、準備完了のレスポンスをエディットデスク３００に伝えるための通知設定を行う。
そしてステップＦ３３３で電源オフのコマンドの受信を待機する。
【０１５０】
自己のエディットカード２００が最下段であった場合は、ステップＦ３２６で光通信パケットの受信に応じて、ステップＦ３２７からＦ３２９に進み、上段のエディットカード２００からの受信パケットから伝達されたカードＩＤを抽出し、自己のカードＩＤを加えて、ＩＤ順序のデータを設定する。例えば図２１（ｃ）で説明した例で言えば、「＃６→＃２→＃８→＃９」というＩＤ順序のデータを生成する。そしてこれをタグ制御部２３０に伝え、タグ制御部２３０に、このＩＤ順序のデータを、エディットデスク３００からのＩＤ要求コマンドに対するレスポンスデータと設定させる。
上記ステップＦ３２２では、ＩＤ要求コマンドに対して自己のカードＩＤを送信する基本設定がなされるが、この場合、タグ制御部２３０は主制御部２１１からの指示に応じて、ステップＦ３２２での自己のカードＩＤの送信設定を無効化し、ＩＤ要求コマンドに対するレスポンスとして、例えば「＃６→＃２→＃８→＃９」のようなＩＤ順序データを送信するように設定を行う。このためＩＤ順序データを、半導体メモリ２３１に保存する。
【０１５１】
その後、主制御部２１１はステップＦ３３２で、タグ制御部２３０に対して、準備完了のレスポンスをエディットデスク３００に伝えるための通知設定を行う。
そしてステップＦ３３３で電源オフのコマンドの受信を待機する。
【０１５２】
デスク制御部３１０は、図２８のステップＦ４０３として、非接触無線通信により、繰り返し各エディットカード２００に対して準備確認要求コマンドを発信させ、そのレスポンスとして各エディットカード２００から「準備未了」又は「準備完了」の通知を受信している。
デスク制御部３１０は、各エディットカード２００からの全てのレスポンスが「準備完了」となることで、ステップＦ４０４でＯＫと判定する。即ち「準備未了」のレスポンスが１つも受信されなくなった時点で、全てのエディットカード２００が準備完了となったと認識する。
そして全てのエディットカード２００が準備完了となったことに応じて、デスク制御部３１０はステップＦ４０５に進み、非接触無線通信により、各エディットカード２００に電源オフコマンドを送信させる。
【０１５３】
各エディットカード２００の主制御部２１１は、メモリタグ２０８で受信した電源オフコマンドを、タグ制御部２３０を介して受け取ると、処理を図２９のステップＦ３３３からＦ３３４に進め、バッテリー電源２１７による電源供給をオフとする。
なお、この例では、各エディットカード２００では、デスク制御部３１０からの電源オフコマンドに応じてバッテリー電源２１７による電源供給を停止させるとしているが、例えばステップＦ３３２の処理を終了した時点で、自動的に主制御部２１１が電源オフ制御をおこなうようにしてもよい。その場合、デスク制御部３１０はステップＦ４０５の処理を行う必要はない。
【０１５４】
続いてデスク制御部３１０は、ステップＦ４０６に進み、ＩＤ要求コマンドを伴ったＸＹスキャンを行う。
つまり図１４で説明したように、Ｘ軸アンテナアレー３２０の各アンテナ、Ｙ軸アンテナアレー３２１の各アンテナを順次駆動させる。このとき各アンテナからＩＤ要求コマンドを送信させる。
これに応じて、積み重ねられていないエディットカード２００では、自己のカードＩＤを返信してくる。
また積み重ねられている複数のエディットカード２００については、最上段及び中間位置のエディットカード２００は、ＩＤ要求コマンドに対してレスポンス停止設定がなされているため返信せず、最下段のエディットカード２００が、積み重ねられたは各エディットカード２００のＩＤ順序のデータを返信してくる。
このとき、カード位置検出部３１２は、レスポンスとしてのカードＩＤ（及びＩＤ順序のデータ）と、その際の電界強度の検出により、各エディットカード２００（及び積み重ねられたエディットカード群）のＸＹ座標を判定し、デスク制御部３１０に通知する。
デスク制御部３１０は、レスポンスとして受信された各カードＩＤ（及びＩＤ順序のデータ）と、各カードＩＤ（及びＩＤ順序のデータ）についてのＸＹ座標値に基づいて、各カードＩＤについての時間的順序を判定する。
仮に、図４に示したようにエディットカード２００が配置されており、各エディットカード２００のカードＩＤが図示する＃１〜＃８であるとすると、図１３（ａ）（ｂ）の矢印ＳＱ１，ＳＱ２の時間軸の進行に応じて、デスク制御部３１０は、＃５→＃２→＃６→＃７→＃３→＃１→＃４→＃８というカードＩＤの時間的順序を判定することになる。
なお、このうち「＃７→＃３→＃１」は、最下段のカードＩＤ＃１のエディットカード２００から返信されたＩＤ順序のデータによるものとなる。
【０１５５】
デスク制御部３１０は、ＸＹスキャンを終えたらステップＦ４０７で、例えば上記のようなスキャン結果（カードＩＤの時間的順序を判定結果）に基づいてＥＤＬ作成部３１１に編集データ（エディットリストＥＤＬ）を作成させる。
そしてステップＦ４０８で、外部インターフェース３０４から、作成された編集データをノンリニアエディタ１００へアップロードさせる。
【０１５６】
ノンリニアエディタ１００では、図２６で説明したように、各クリップとカードＩＤを対応させている。このため例えば「＃５→＃２→＃６→＃７→＃３→＃１→＃４→＃８」というカードＩＤ順序を示した編集データを受信したら、これをクリップの順番に置き換えることができる。
例えば図６の対応例で言えば、「＃５→＃２→＃６→＃７→＃３→＃１→＃４→＃８」というカードＩＤ順序は、「ＣＬ５→ＣＬ２→ＣＬ６→ＣＬ７→ＣＬ３→ＣＬ１→ＣＬ４→ＣＬ８」というクリップ順序と認識できる。
従って、エディットデスク３００からアップロードされた編集データから、実際のクリップ順序を示す編集データを生成でき、例えばこれを映像コンテンツの編集データとすることができる。
【０１５７】
図２３のステップＳＴ６としては、編集結果の確認が行われるが、ノンリニアエディタ１００において、このクリップ順序で各クリップを再生させることで、編集作業者は、エディットデスク３００を使用しての編集結果の映像コンテンツを、実際にノンリニアエディタ１００において確認できることになる。
【０１５８】
［II−１０．エディットデスク使用時のクリップ映像確認］
ところで、編集作業者は、図２３のステップＳＴ３において、エディットデスク３００上でエディットカード２００を並べる際に、実際にクリップの動画映像を確認したい場合もある。エディットカード２００にはクリップのイン点／アウト点のサムネイル画像が表示されているが、より詳しく内容を確認したい場合である。
このために、エディットカード２００を指定することで、そのエディットカード２００に対応するクリップの動画再生ができるようにすると好適である。
【０１５９】
このための例を図３０、図３１に示す。なお、エディットデスク３００がノンリニアエディタ１００と通信可能に接続されているとする。
図３０は、クリップ映像確認のためのデスク制御部３１０の処理を示している。
編集作業者が、エディットデスク３００上で、或るエディットカード２００を指定して映像再生を要求する操作を行った場合、デスク制御部３１０は処理をステップＦ４２０からＦ４２１に進める。そしてデスク制御部３１０は、非接触無線通信動作により、その指定されたエディットカード２００のカードＩＤを読み取る。
そしてデスク制御部３１０はステップＦ４２２で、カードＩＤをノンリニアエディタ１００に通知するとともに、クリップ再生を要求する。
【０１６０】
具体例を図３１で説明する。
例えば図３１（ａ）は、編集面３０１上に、カード配置位置ガイドとして破線で示すガイドラインや、配置位置番号が印刷等により示されている状態を示している。
編集作業者は、このガイドライン上に、各エディットカード２００を配置していくようにする。なお、ガイドラインではなく、編集面３０１上の凹みのようにして、カード配置位置を規定してもよい。
【０１６１】
例えば編集作業者が、配置位置番号「２」に置いたエディットカード２００のクリップ内容を動画で確認したいと思った場合は、操作部３０２から、配置位置番号「２」を入力して再生要求操作を行う。
この場合にデスク制御部３１０は、上記図３０の処理として、配置位置番号「２」のエディットカード２００からカードＩＤを読み込み、そのカードＩＤをノンリニアエディタ１００に通知して再生要求を行う。
すると、ノンリニアエディタ１００のＮＬＥ制御部１０１は、カードＩＤに対応するクリップナンバのクリップの再生制御を行う。
このようにすれば、編集作業者は、ノンリニアエディタ１００側のモニタで、配置位置番号「２」のエディットカード２００に対応するクリップ映像を見ることができる。
【０１６２】
また図３１（ｂ）は、編集面３０１外に、指定配置部３０５を設ける。この指定配置部３０５の下部にも非接触無線通信用のアンテナが配置されるようにし、指定配置部３０５の配置されたエディットカード２００のカードＩＤが読み取れるようにする。
編集作業者は、内容を確認したいと思うエディットカード２００を指定配置部３０５に置いてから、操作部３０２で再生要求操作を行う。
この場合にデスク制御部３１０は、上記図３０の処理として、指定配置部３０５のエディットカード２００からカードＩＤを読み込み、そのカードＩＤをノンリニアエディタ１００に通知して再生要求を行う。
すると、ノンリニアエディタ１００のＮＬＥ制御部１０１は、カードＩＤに対応するクリップナンバのクリップの再生制御を行う。
このようにすれば、編集作業者は、ノンリニアエディタ１００側のモニタで、指定配置部３０５に置いたエディットカード２００に対応するクリップ映像を見ることができる。
なお、指定配置部３０５は、編集面３０１の一部領域として形成してもよい。
【０１６３】
これらの例のように、何らかの手法で編集作業者がエディットカード２００を指定して再生要求を行うことができるようにし、エディットデスク３００からカードＩＤをノンリニアエディタ１００に通知できるようにすれば、編集作業者は、作業中に非常に容易に、各クリップの映像を確認できることになり、編集作業の一層の容易化や効率化を図ることができる。
【０１６４】
＜III：エディットブックとエディットデスクによる編集システム＞
［III−１．システム構成デバイス］
ここまでは、図１で述べた単位映像表現装置５０１の例としてエディットカード２００を挙げた編集システムを説明してきたが、ここからは、単位映像表現装置５０１の例としてのエディットブック１を用いる編集システムを説明する。
また、ここでいうエディットブック１（エディットマスターブック１Ｍ）は、クリップのイン点／アウト点の設定も可能な装置であり、図１のマスター編集機５００としての機能の一部の兼ねることができる。
【０１６５】
映像コンテンツの制作の際には、ノンリニアエディタ１００には編集対象の動画映像素材として、１又は複数のクリップが取り込まれ、記憶部１０２に記憶されている。
そして通常は、ノンリニアエディタ１００において、映像素材としての複数のクリップのそれぞれについてイン点、アウト点を決めてカット編集した上で、各クリップを時間軸方向に所要の順序で連結していく。このような編集は、例えば専門の編集作業者がノンリニアエディタ１００を使用して行うが、その場合、各クリップの内容確認やイン点、アウト点の指定などの作業において専門的な操作知識が必要である。
そこで本例では、クリップのカット編集はエディットマスターブック１Ｍにより非常に直感的に容易に行うことができるようにし、また各クリップを並べて時間軸上で連結し、映像コンテンツを制作する編集を、エディットブック１とエディットデスク３００を用いて簡易に実行できるようにするものである。
【０１６６】
まず図３２，図３３，図３４，図３５で、編集システムに用いる装置の概要を説明する。
図３２は、エディットマスターブック１Ｍと、複数のエディットブック１を示している。エディットマスターブック１Ｍ、エディットブック１は、図のように例えば手帳サイズの冊子状の装置とされる。
このエディットマスターブック１Ｍとエディットブック１は、その構造は同一のものでよく、多数のエディットブック１の１つをエディットマスターブック１Ｍとして用いるようにしてもよい。
或いは、エディットマスターブック１Ｍとして、例えば内部のメモリの記憶容量が大容量のものや、制御部としてのマイクロコンピュータとして高機能のものを備えたり、専用の動作制御プログラムが備えられる装置として、エディットブック１とは区別されるものでもよい。
【０１６７】
図３３に示すように、エディットマスターブック１Ｍはノンリニアエディタ１００と接続可能で、ノンリニアエディタ１００からエディットマスターブック１Ｍには、多数のクリップをダウンロードできる。ここではクリップとは、イン点／アウト点が編集される前のクリップであってもよい。
後述するように、エディットマスターブック１Ｍでは、ダウンロードされた各クリップについて、イン点／アウト点を設定する編集を行うことができる。
【０１６８】
エディットマスターブック１Ｍは、多数のエディットブック１に対して、それぞれ１つのクリップ情報をダウンロードする。つまり、エディットマスターブック１Ｍは、図１のマスター編集機５００として機能する。
この場合、エディットブック１にダウンロードするクリップ情報とは、例えばクリップナンバ、イン点タイムコード、アウト点タイムコード、及びクリップ動画を構成する全フレーム（もしくは或る程度間欠的なフレーム）のフレーム画像データを含むものとする。
クリップ情報がダウンロードされた各エディットブック１は、それぞれクリップの内容を表現する表示を行う。これにより上述してきたエディットカード２００と同様に、編集作業者は、各エディットブック１を見て、各エディットブック１がどのクリップに対応するかを認識できる。
【０１６９】
エディットマスターブック１Ｍから各エディットブック１への各クリップ情報のダウンロードは、例えば図３４のような接続形態で行われる。
例えばエディットマスターブック１Ｍに、多数のエディットブック１と接続する端子構造が設けられていれば、図３４（ａ）のように、エディットマスターブック１Ｍに対して同時に多数のエディットブック１を接続し、エディットマスターブック１Ｍが各エディットブック１とそれぞれ個別に順次通信を行って、それぞれにクリップ情報をダウンロードしていけばよい。
また図３４（ｂ）のように、接続中継装置４０を用いて、エディットマスターブック１Ｍに対して多数のエディットブック１を同時に接続できるようにし、この状態でエディットマスターブック１Ｍが各エディットブック１とそれぞれ個別に順次通信を行って、それぞれにクリップ情報をダウンロードしていくようにしてもよい。
或いは図示しないが、エディットマスターブック１Ｍを起点として、複数のエディットブックをデイジーチェーン方式で接続してもよい。
【０１７０】
各エディットブック１は、ダウンロードしたクリップ情報を表現した状態で、上述したエディットカード２００と同様の使用形式で、エディットデスク３００上で用いられる。
つまり図３５に示すように、エディットデスク３００の編集面３０１上で、多数のエディットブック１を、対応するクリップの時間的順序を考えながら、水平方向に並べ、又は垂直方向に積み重ねていく。
その後、エディットデスク３００が、水平／垂直方向のエディットブック１の順序（エディットブック１の個々に与えられているブックＩＤの順序）を読み取ることで、編集データを生成する。
エディットデスク３００は、作成した編集データを、エディットマスターブック１Ｍにアップロードする。エディットマスターブック１Ｍは、エディットデスク３００からの編集データ（ブックＩＤの時間的順序を指定したデータ）を用いて、クリップの時間的順序及び各クリップのイン点／アウト点の設定を指定した編集データを生成し、編集結果としてノンリニアエディタ１００に送信する。
【０１７１】
［III−２．エディットブック構造］
まず、エディットブック１の構造を説明する。なおエディットマスターブック１Ｍの構造も、同様と考えることができる。
【０１７２】
図３２にエディットブック１（及びエディットマスターブック１Ｍ）の斜視図を示したが、この図のように、エディットブック１は、表裏の表紙部２、３と、その表紙部２，３の間に位置される複数のシート７が、背部６で綴じられ、各シート７，７・・・が各ページを構成するような冊子構造とされている。
このエディットブック１は、図３６（ａ）のように、通常の書籍と同様に開いて各シート７、７・・・を見ていくことができる。各シート７は、フレキシブルペーパー状の表示デバイスとして形成されており、従ってユーザは、本を読む場合と同様の感覚で、各シート７の表示内容を見ることができる。つまり、１ページづつめくって見たり、或いはパラパラとページをとばしていく感覚で各シート７、７・・・を見ることができる。
【０１７３】
図３２に示すように、表紙部２には、表紙表示部４や操作キー５が設けられている。
表紙表示部４は、例えば液晶パネルや有機ＥＬ（Electroluminescence）パネルなどにより形成され、動画表示を含めた各種の表示が可能とされる。
また表紙表示部４にはタッチセンサが内蔵され、表示面上のタッチ操作による操作入力が可能とされる。表紙表示部４に、各種の操作用画像（例えば操作ボタン画像）が表示されることで、ユーザは、その操作用画像にタッチするタッチパネル操作で各種の多様な操作入力が可能となる。また例えばクリップ映像を示すサムネイル画像が表示された際など、サムネイル画像の部分をタッチすることで、画像の選択、指定などの操作入力が可能となる。
【０１７４】
操作キー５、５・・・は、例えば電源操作、表示モード操作などのための操作子として設けられる。なお、このような物理的な操作キーは、電源操作用のキーのみなど、上記のタッチパネル操作とは別に必要な操作を行うために最低限の数のみ設ければよい。
もちろん、上記のタッチパネル操作で行われる操作入力や、他の多様な操作を可能とする多数の操作子が、物理的なキーやダイヤルにより設けられてもよい。
【０１７５】
エディットブックの背部６は、表紙部２，３及びシート７を綴じる部位であるとともに、図３６（ｂ）に示すように、回路基板９やバッテリー１０を収納する部位ともされる。
また背部６には、例えばＵＳＢ（Universal Serial Bus）、ＩＥＥＥ（Institute of Electrical and Electronics Engineers）１３９４など、所定の通信方式によりデータ通信を外部機器（例えばノンリニアエディタ）と行うための接続端子８が設けられている。
【０１７６】
また図３２のようにエディットブック１の表示部２側には、受光部３３ａが設けられ、裏の表示部３側には、図３６（ｃ）のように発光部３４ａが設けられている。
これは上述したエディットカード２００における受光部２０２，発光部２０３と同様に、積み重ねられた状態で上下のエディットブック１間で通信を行うためのものである。
【０１７７】
シート７を図３６（ｄ）に示す。このシート７は、例えば図６で説明した電子ペーパーにより形成され、そのシート表面が主表示部７ａとされる。
但し、エディットブック１では、シート７を、書籍のページのように扱うため、紙に近い柔軟性があることが好ましい。
図６（ａ）のようにプラスチックシート１５，表示層１６，ドライバ層１７、プラスチックシート１５から成る層構造において、ドライバ層１７のＴＦＴに、例えば有機分子を用いたフレキシブルトランジスタ（有機トランジスタ）を使用する。これによって、図６（ａ）の層構造とされる電子ペーパーをフレキシブルなシートとして実現できる。
本例では、例えばこのような構造により、シート７をフレキシブルシートとして形成し、各シート７を、書籍の各ページのように扱うことができるようにする。
また図４（ａ）の構造にタッチセンサ層を加える（例えばプラスチックシート１５と表示層１６の間などにタッチセンサ層を介在させる）ことで、シート７においてタッチパネル操作入力を行うことが可能となる。本例では、シート７は、タッチパネル操作入力が可能な構成とする。
このような電子ペーパーとして、本例のシート７が形成され、図３６（ｄ）に示した主表示部７ａでの画像表示（静止画表示）が行われる。
【０１７８】
図３７にエディットブック１の内部回路構成の一例を示す。
主制御部２０は、例えばＣＰＵ、ＲＯＭ、ＲＡＭ等を有するマイクロコンピュータにより形成され、エディットブック１の全体を制御する。即ちこの主制御部２０は、通信インターフェース部２１を介した他の機器との通信動作、上述した受光部３３ａ、発光部３４ａを用いた他のエディットブック１との通信動作、表紙表示部４における表示動作、シート７における表示動作などを、内部に保持する動作プログラムやユーザの操作入力に応じて実行させるための制御を行う。
【０１７９】
通信インターフェース部２１は、接続端子８により接続された他の機器との間の通信動作として通信パケットの送受信やエンコード／デコード等を行う。
他の機器との通信動作としては、エディットマスターブック１Ｍとして使用される場合は、通信インターフェース部２１は、ノンリニアエディタ１００との通信として、クリップのダウンロードデータの受信や、ノンリニアエディタ１００への編集データの送信を行う。また図３４のような接続時に通信インターフェース部２１は、接続された各エディットブック１に対してクリップ情報の送信を行う。さらにエディットデスク３００と接続された場合、通信インターフェース部２１は、エディットデスク３００から編集データを受信する動作を行う。
またエディットブック１と使用される場合は、通信インターフェース部２１は、図３４のような接続時にエディットマスターブック１Ｍとの間の通信を行ってクリップ情報を受信する。
【０１８０】
エディットブック１は内部の動作電源供給のためにバッテリー電源（二次電池）３５を備える。バッテリー電源３５による電源供給のオン／オフは、主制御部２０によって制御される。
【０１８１】
不揮発性メモリ部２２は、ダウンロードデータや、主制御部２０が生成する編集データ等の保存を行うメモリとされる。即ち、電源オフ状態でも保存されるべきデータの保存を行う。
エディットマスターブック１Ｍの場合、ダウンロードデータとは、ノンリニアエディタ１００等の外部機器から供給された多数のクリップのそれぞれについての、動画を構成するフレーム画像データや、そのフレーム画像データに付随する情報などである。
またエディットブック１の場合、ダウンロードデータとは、エディットマスターブック１Ｍからダウンロードされたクリップ情報であり、上述のように例えばクリップナンバ、イン点タイムコード、アウト点タイムコード、動画を構成するフレーム画像データなどを含む。
この不揮発性メモリ部２２は、例えばフラッシュメモリなどの固体メモリを想定するが、例えばフラッシュメモリなどを内蔵したメモリカードや光ディスクなどの可搬性記録媒体と、その可搬性記録媒体に対する記録再生部による構成としてもよい。さらにはＨＤＤ（Hard Disk Drive）を不揮発性メモリ部２２として用いてもよい。
【０１８２】
データパス制御部２３は、ダウンロードデータなどの通信対象のデータや、表紙表示部４での表示に用いる画像データ、或いはシート７での表示に用いる画像データなどについて、主制御部２０の制御に基づいて、不揮発性メモリ部２２、通信インターフェース部２１、表示データ生成部２４の間でのデータ転送を行う。
【０１８３】
表示データ生成部２４は、主制御部２０の制御に基づいて、表紙表示部４で表示させる表示データを生成したり、各シート７、７・・・に表示させる表示データを生成する。例えば不揮発性メモリ部２２から読み出されるフレーム画像データを用いて表示データを生成する。
表示画像データ生成部２４は、表紙表示部４で表示させる表示データを生成した場合、これを表示駆動部２５に供給する。表示駆動部２５は、表紙表示部４に対する画素駆動回路系を備え、供給された表示データに基づいて表紙表示部４での表示動作を実行させる。
また表示画像データ生成部２４は、各シート７、７・・・で表示させる表示データを生成した場合、これをシート表示制御部２９に供給する。
シート表示制御部２９は、各シート７、７・・・のそれぞれに対して、供給された各表示データを供給し、各シート７、７・・・での表示を実行させる。
【０１８４】
入力処理部２６は、ユーザの操作入力を検知し、操作入力情報を主制御部２０に通知する。
即ち入力処理部２６は、上述したように表紙部２等に設けられる操作部５の操作検知を行い、その操作部５による操作情報を主制御部２０に通知する。
また表紙タッチセンサ部２７は、表紙表示部４に形成されたタッチセンサであり、ユーザが表紙表示部４の画面上において触れた位置を検出する。入力処理部２６は、画面上での操作位置を示す入力情報を主制御部２０に通知する。主制御部２０は、その時点での表紙表示部４での表示内容（表示画像データ生成部２４で生成した表示データの画像内容）と、操作位置を対応させることで、ユーザの操作入力内容を判別する。
またシートタッチセンサ部２８、２８・・・は、各シート７、７・・・に形成されたタッチセンサであり、ユーザがシート７の画面上において触れた位置を検出する。入力処理部２６は、各シート７についての画面上での操作位置を示す入力情報を主制御部２０に通知する。主制御部２０は、その時点での、シート７での表示内容（表示画像データ生成部２４で生成した表示データの画像内容）と、操作位置を対応させることで、ユーザの操作入力内容を判別する。
【０１８５】
受光系３３は、受光部３３ａを含む回路系である。例えばエディットカード２００の構成として図７で述べた、受光回路２２０、復調回路２２１、シリアル・パラレル変換部２２２を備え、受光部３３ａでの受光した光信号を復調して主制御部２０に供給する。
発光系３４は、発光部３４ａをを含む回路系である。例えば図７で述べた、パラレル・シリアル変換部２２５、光強度変換回路２２４、駆動回路２２３を備え、主制御部２０から供給されるパケットデータを光変調して発光部３４ａから光信号として出力する。
【０１８６】
ホール素子３１，磁石３２は、エディットカード２００において図１７，図１８で述べたように、自己の重なり位置を検出するために設けられる。
例えばエディットブック１の場合、表側の表紙部２内を、図１７の上層ＨＬと考えて所要数のホール素子３１，磁石３２を配置し、また裏側の表示部３内を、図１７の下層ＬＬと考えて所要数のホール素子３１，磁石３２を配置すればよい。
主制御部２０は、所定箇所に配置された複数のホール素子３１の検出出力を確認することで、自己のエディットブック１が他のエディットブック１と積み重ねられているか否か、また積み重ねられている場合は、積み重ねの最上段、中間位置、最下段を判別できる。検出原理はエディットカード２００において図１８で説明したものと同様でよい。
【０１８７】
エディットブック１は内部（例えば裏側の表示部３内）にメモリタグ３０が配置される。メモリタグ３０は、図７に示したメモリタグ２０８と同様の構成とし、ここでは内部構成の重複説明を省略する。メモリタグ３０内のタグ制御部は、主制御部２０の間で、各種のデータ通信を行う。
【０１８８】
エディットブック１は、それぞれ固有のブックＩＤが付与されている。ブックＩＤは、主制御部２０の内部メモリ、或いは不揮発性メモリ部２２に格納される。またブックＩＤはメモリタグ３０内の半導体メモリにも格納されている。
【０１８９】
エディットブック１（エディットマスターブック１Ｍ）は以上の構成となる。
なお、エディットマスターブック１Ｍとして専用に用いる装置を考えた場合、受光系３３、発光系３４、メモリタグ３０、ホール素子３１、磁石３２は不要である。
【０１９０】
［III−３．エディットマスターブックでのクリップ編集］
まず、エディットマスターブック１Ｍでのクリップ編集について述べる。
本例の場合、ノンリニアエディタ１００で実行できる編集作業の一部（例えばカット編集など）を、エディットマスターブック１Ｍを用いることで直感的に実行できる。
【０１９１】
まず、図３３のようにエディットマスターブック１Ｍとノンリニアエディタ１００が接続された状態で、ノンリニアエディタ１００からエディットマスターブック１Ｍに対して、多数の映像素材（未編集のクリップ）がダウンロードされる。
ノンリニアエディタ１００は編集対象の動画映像素材として、映像コンテンツを制作するための複数のクリップが記憶部１０２に記憶されている。例えば編集作業者は、図３３のようにノンリニアエディタ１００とエディットマスターブック１Ｍをデータ通信可能な状態に接続させた上で所要の操作を行い、ノンリニアエディタ１００側に格納されている、映像コンテンツの制作に用いる複数のクリップを、エディットマスターブック１Ｍにダウンロードさせる。エディットマスターブック１Ｍ側では、不揮発性メモリ部２２に各クリップのデータを取り込む。
各クリップの画像は、静止画としてのフレーム画像データとしてエディットマスターブック１Ｍに供給される。例えばクリップの動画を構成する各フレーム画像データが、例えばＪＰＥＧ（Joint Photographic Experts Group）方式等による静止画フレーム圧縮処理された状態でダウンロードされる。
【０１９２】
このように、多数のクリップがダウンロードされた状態で、エディットマスターブック１Ｍでは、各クリップについての編集を行うことができる。
【０１９３】
クリップがダウンロードされたら、主制御部２０は、表紙表示部４に、例えば図３８のようなクリップ選択画面表示を実行させる。
このクリップ選択画面表示では、ダウンロードした各クリップについてのサムネイル表示６０が行われる。１つのサムネイルが１つのクリップを表すものとなる。
また操作ボタン表示６１，６２，６３，６４として「戻る」「次」「メニュー」「設定」などの表示が行われる。
また不揮発性メモリ部２２のメモリ残量表示５６も行われる。
【０１９４】
「戻る」及び「次」の操作ボタン表示５２、５３は、ダウンロードされている全てのクリップのサムネイルを１画面上で表示できない場合に、サムネイル表示６０のページ送り／戻しを指示する操作用画像である。
「メニュー」の操作ボタン表示６３は、他の各種の操作メニュー画面への移行を指示する操作用画像である。
「設定」の操作ボタン表示６４は、基本設定、表示設定、編集操作設定など、各種の設定操作の画面への移行を指示する操作用画像である。
【０１９５】
このクリップ選択画面は、ユーザに、サムネイル画像により編集もしくは画像内容確認を行うクリップを選択させるために表示される。つまりユーザは、サムネイル画像を指定することで、編集や内容確認を行うクリップを選択できる。
主制御部２０は、サムネイル画像に対するタッチ操作を、クリップの選択操作として認識する。
主制御部２０は、ユーザがクリップ選択を行った場合は、選択されたクリップの画像をシート７，７・・・に展開する処理を行う。
例えば図１７（ｂ）のサムネイル表示６０に対して、ユーザが「Ｃｌｉｐ１」のクリップを選択したとすると、各シート７，７・・・に「Ｃｌｉｐ１」の画像が展開されることになる。
【０１９６】
シート７における表示例を図４０に示す。
図４０では、例えば１枚のシート７に、クリップを構成する多数のフレームの内の３枚のフレーム画像７１ａ，７１ｂ，７１ｃが表示される例を示している。
またフレーム画像７１ａに対応して、タイムコード７２ａ及び操作ボタン表示７３ａが表示される。フレーム画像７１ｂについても、対応してタイムコード７２ｂ及び操作ボタン表示７３ｂが表示され、フレーム画像７１ｃについても、対応してタイムコード７２ｃ及び操作ボタン表示７３ｃが表示される。
各操作ボタン表示７３ａ，７３ｂ，７３ｃは、それぞれ対応するフレーム画像７１ａ，７１ｂ、７１ｃをカット編集におけるイン点、又はアウト点として指定するための操作を行うことができるようにする操作用画像である。
【０１９７】
また、シート７に表示するフレーム画像７１ａ，７１ｂ，７１ｃは、クリップを構成するフレーム画像データから、動画の時間軸に沿って、連続的、又は間欠的に抽出された画像である。
例えば図４０のフレーム画像７１ａ，７１ｂ，７１ｃについてのタイムコード７２ａ，７２ｂ，７２ｃは、それぞれ「００：００：００：００」「００：００：００：０６」「００：００：００：１２」としている。これはｆｐｓ（Frame Per Sec：フレーム／秒）を「５」とした場合である。例えばクリップ映像が１秒に３０フレームの動画だとした場合に、１秒につき５フレームを抽出したものとなり、つまり６フレーム毎に１フレームが抽出され、シート７に表示される場合である。
この場合、この図示するシート７に続く次のシート７（次のページ）では、それぞれタイムコードが「００：００：００：１８」「００：００：００：２４」「００：００：００：３０」のフレーム画像が表示されることになる。
つまり各シート７内及びシート７によるページが進む方向に、動画としての時間軸に応じて、各フレーム画像が表示されていく。
これにより各シート７，７・・・では、例えば漫画を読み進める感覚で、クリップ映像の内容を確認できる状態となる。
【０１９８】
シート７の下方には、表示するフレーム画像の間隔を示す画像７４が表示される。例えばフレームレート「５ｆｐｓ」とともに、矢印画像で間欠的なフレームであることが表現される例を示している。
【０１９９】
なお、シート７での表示については、図示のように、タイムコード７２ａ，７２ｂ，７２ｃや操作ボタン表示７３ａ，７３ｂ，７３ｃについては、シート７における綴じ代部７ｃ側に表示させ、フレーム画像７１ａ，７１ｂ，７１ｃについては綴じ代部７ｃとは反対側に表示させるようにすることで、ユーザが各シート７、７・・・をパラパラと見ていく場合に、画像内容を視認し易いものとすることができる。
【０２００】
このようにシート７にクリップ画像を展開するための主制御部２０の処理を図４２で説明する。
主制御部２０は、例えば図３８のサムネイル表示６０に対するユーザ操作により或るクリップが選択されたら、図４２の処理を開始する。
まずステップＦ５０１で主制御部２０は、選択されたクリップのフレーム画像データについて、不揮発性メモリ部２２から読み出すための対象アドレスを演算する。例えば当該クリップの先頭のフレーム画像データが記憶されたアドレスを求める。
【０２０１】
次にステップＦ５０２で、表示する対象のシート７の範囲をシートＰ（ｓ）〜Ｐ（ｅ）として設定すると共に、シート７に表示させるフレーム画像のレートとして上述したｆｓｐを設定する、
表示する対象のシート７の範囲とは、通常はエディットブック１に綴じられたシート７の全ページを考えればよい。例えばシート７が５０枚綴じられて、５０ページの表示が可能である場合は、１枚目のシート７から５０枚目のシート７を、対象のシート７の範囲とすればよい。シートＰ（ｓ）とは、開始ページとしてのシートであり、シートＰ（ｅ）は終了ページとしてのシートを指すものとされる。例えば５０枚のシート７に画像を展開する場合は、シートＰ（ｓ）＝１、シートＰ（ｅ）＝５０と設定すればよい。
なお、例えばクリップ映像が非常に短かったり、フレーム間隔を広くとるような場合、全シートを用いないでクリップ画像を展開できることもある。従って、クリップの総フレーム数、展開の際のｆｐｓ、シート７としてのページ数に応じて、シートＰ（ｓ）、Ｐ（ｅ）を設定してもよい。
【０２０２】
展開する画像としてのｆｓｐについては、動き情報、対象シート数、クリップの総フレーム数などを用いて設定する。ｆｓｐの設定方式は各種考えられる。
例えばクリップの総フレーム数と対象シート数に応じて、等間隔（又はほぼ等間隔）でフレーム画像が表示できるようにｆｓｐを設定してもよい。
また、ユーザがフレーム間隔の指定操作をできるようにし、総フレーム数や対象シート数に関わらず、その指定されたフレーム間隔としてｆｓｐを設定してもよい。
【０２０３】
また、ノンリニアエディタ１００からダウンロードされたクリップのデータに、動き情報が含まれている場合、この動き情報ＭＥに応じてｆｓｐを設定してもよい。動き情報とは、動画内容の動きの度合いを示す情報である。
例えば、クリップの平均的な動き情報によってｆｓｐを設定する。
或いは、クリップ内でも、動きの大きい区間と動きの小さい区間でｆｓｐを変化させるなど、或る複数フレーム区間毎にｆｓｐを可変設定するようにしてもよい。
【０２０４】
表示対象のシート７の範囲としてのシートＰ（ｓ）〜Ｐ（ｅ）と、ｆｓｐを設定したら、主制御部２０はステップＦ５０３に進み、まず不揮発性メモリ部２２の対象アドレスからフレーム画像データの読出制御を行う。
最初に、例えばステップＦ５０１で設定した、クリップの先頭のフレーム画像データが記憶された対象アドレスに対して読出制御を行い、不揮発性メモリ部２２から読み出されるフレーム画像データを表示データ生成部２４に転送させる。
ステップＦ５０４では、シート７の１ページに表示させる画像を全て読み出したか否かを判別する。図４０のように３つのフレーム画像を１ページに表示させる場合は、３つのフレーム画像を読み出した時点で、１ページに表示させる画像の読み出しが完了することになる。
従って、１枚のフレーム画像データを読み出した時点ではステップＦ５０５に進み、次の対象アドレスを算出する。次の対象アドレスは、ｆｓｐ設定に応じて次に表示させるフレーム画像データが記憶されたアドレスである。例えば図４０の例のようにｆｓｐ＝５であれば、６フレーム後のフレーム画像データの記憶アドレスを、次の対象アドレスとする。そしてステップＦ５０３に戻り、不揮発性メモリ部２２についての対象アドレスの読出を制御する。そして不揮発性メモリ部２２から読み出されたフレーム画像データを表示データ生成部２４に転送させる。
【０２０５】
ステップＦ５０３，Ｆ５０５の処理により、３つのフレーム画像データが読み出された時点で、表示データ生成部２４では、１つのシート７についての表示データが生成できる。そこで１ページ表示分のフレーム画像データの読出が完了した時点で、主制御部２０の処理はステップＦ５０４からＦ５０６に進み、表示データ生成部２４にシートＰ（ｘ）の表示データの生成を指示する。シートＰ（ｘ）における「ｘ」の初期値は、ステップＦ５０２で設定したシートＰ（ｓ）における「ｓ」である。つまりまず、表示対象とする最初のシート７（１ページ目）について表示データを生成させる。
表示データ生成部２４は、主制御部２０の指示に応じて、例えば図４０に示すような内容の表示データ、つまり３つのフレーム画像７１ａ，７１ｂ，７１ｃ、タイムコード７２ａ，７２ｂ，７２ｃ、操作ボタン表示７３ａ，７３ｂ，７３ｃ、ｆｓｐを示す画像７４を含む表示データを生成する。
そしてステップＦ５０７として、主制御部２０は、表示データ生成部２４が生成した表示データを、シートＰ（ｘ）（最初は１ページ目となるシートＰ（ｓ））の表示データとしてシート表示制御部２９に転送させ、シート表示制御部２９に、シートＰ（ｘ）での表示を実行させる。これにより、シートＰ（ｘ）、つまり１ページ目のシート７において図４０のような表示が実行される。
【０２０６】
ステップＦ５０８では、主制御部２０はＰ（ｘ）＝Ｐ（ｅ）であるかを判別する。即ち対象とした全シートの表示を完了したか否かの確認である。
Ｐ（ｘ）＝Ｐ（ｅ）でなければ、ステップＦ５０９で変数ｘをインクリメントし、ステップＦ５０５に進む。そしてステップＦ５０３に戻り、上述した処理を繰り返す。
これによって、次はステップＦ５０３〜Ｆ５０７によりＭシートＰ（ｘ）として２ページ目のシート７を対象として同様の処理が行われ、２ページ目のシート７の表示が行われる。さらに、同様に３ページ目、４ページ目・・・と各シート７の表示処理が順次行われていく。
【０２０７】
表示対象とした最後のページのシートＰ（ｅ）まで表示処理が行われた時点で、ステップＦ５０８でＰ（ｘ）＝Ｐ（ｅ）と判別され、これによって主制御部２０は対象とした全シートの表示完了と判断して図４２の処理、即ちシート７，７・・・へのクリップ画像の展開処理を終了する。
【０２０８】
以上の処理で、エディットマスターブック１Ｍでは、各シート７，７・・・で構成されるページ順に、クリップ動画が連続的もしくは間欠的なフレーム画像で表示されることになり、クリップ動画を構成するフレーム画像（静止画）が、漫画本のように各ページに展開されるものとなる。従って編集作業者は、本を見る感覚で、クリップとしての動画内容を確認できる状態となる。
【０２０９】
なお、シート７に表示させるフレーム画像としてのｆｓｐの設定については上述したが、例えば一旦シート７，７・・・にクリップ画像を展開した後、ｆｓｐを変更して再展開することもできるようにすると良い。
例えばクリップ再展開としての操作や、ｆｓｐ指定の操作をユーザが実行できるようにし、例えば「より細かいフレーム画像が見たい」或いは「もっと大まかにフレーム画像を見たい」というユーザの意志に沿って、再度図４２の処理でシート７，７・・・への展開動作を行うようにすることが考えられる。もちろんその場合は、ステップＦ５０２ではユーザの操作に応じてｆｓｐが設定される。
【０２１０】
また、ユーザがシート７，７・・・を見て、或るフレーム画像と、他のフレーム画像を指定し、その間のフレームが、例えばより細かく展開されるような、再展開処理が行われるようにすることも考えられる。
いずれにしても、表示するフレーム間隔としては、全フレームを順次表示する連続フレーム表示から、多様なフレーム間隔での間欠的な表示まで、各種変更することは、展開処理時のｆｓｐ設定により実行できるため、多様なｆｓｐでの展開表示がユーザ操作に応じて行われるようにすると、好適である。
さらには、後述する編集処理によりイン点、アウト点を設定した後の再展開として、イン点からアウト点までのフレーム画像データを展開することも考えられる。
【０２１１】
以上のように各シート７，７・・・に、指定されたクリップのフレーム画像を展開した後は、そのクリップについてイン点、アウト点の編集や、より詳細な編集を行うことができる。
例えばユーザが、本を見る感覚で動画内容を確認しながら、カット編集の開始点をイン点、終了点をアウト点とする操作入力を行う。例えばページをめくりながら「このページのこの画像をイン点」「このページのこの画像をアウト点」と、簡易な操作で指定する。
主制御部２０は、このような操作に応じて、イン点、アウト点の編集データを生成する。
また、表紙表示部４でクリップの動画表示を行うこともでき、ユーザはその表紙表示部４での表示を確認しながら各種の設定操作を行うことができる。例えばビデオレベル（輝度レベル、クロマレベル）の調整や画像エフェクトの設定操作などである。主制御部２０は、このような設定操作に応じても編集データを生成する。
【０２１２】
以下、エディットマスターブック１Ｍを用いた画像編集として、シート７，７・・・を用いた編集処理や表紙表示部４を用いた編集処理について説明する。
まず上述のように各シート７，７・・・にクリップ画像が展開されて表示された状態でのクリップのカット編集について述べる。即ちクリップ内で、映像コンテンツに使用する映像区間としてのイン点、アウト点を指定する編集作業である。
【０２１３】
イン点、アウト点の指定は非常に簡易に行うことができる。上述のようにユーザは、各シート７，７・・・について本を見る感覚でクリップの映像内容を確認できるため、その中で任意のフレーム画像をイン点、任意のフレーム画像をアウト点として指定すればよい。
例えば図４１のシート７において２段目のフレーム画像７１ｂをイン点とする場合は、そのフレーム画像７１ｂに対応する操作ボタン表示７３ｂの「Ｉｎ」にタッチすればよい。上述したとおり、各シート７にはシートタッチセンサ部２８が設けられており、シートタッチセンサ部２８によりユーザのタッチ操作位置が検出され、入力処理部２６から主制御部２０にタッチ操作位置が伝えられる。主制御部２０は、そのタッチ操作位置が「Ｉｎ」の操作ボタン表示７３ｂに相当する位置であれば、その操作をイン点指定操作として処理すればよい。つまり操作ボタン表示７３ｂの「Ｉｎ」のタッチ操作が検出された場合、タイムコード＝「００：００：００：０６」のフレーム画像７１ｂが、イン点として指定されたとして編集データを生成する。
アウト点の場合も同様であり、或るページとされたシート７の或るフレーム画像に対応する操作ボタン表示７３ｂの「Ｏｕｔ」のタッチ操作が行われることに応じて、そのフレーム画像についてアウト点指定操作がなされたと判断し、編集データを生成すればよい。
【０２１４】
このようなシート７，７・・・を用いた編集処理を実現するための主制御部２０の処理を図４３に示す。
主制御部２０は、ステップＦ６０１でイン点指定操作を監視し、またステップＦ６０４でアウト点指定操作を監視している。
イン点指定操作が検知された場合は、主制御部２０はステップＦ６０１からＦ６０２に進み、そのイン点指定操作に係るフレーム画像のタイムコードをイン点とするように編集データを生成（更新）する。
また、ステップＦ６０３では、ユーザにイン点指定を明示するための表示制御を行う。例えば図４１に示すように、イン点指定操作が行われた操作ボタン表示７３ｂの「Ｉｎ」の表示を、例えば赤色など、特定の色に変更させ、さらにイン点とされたフレーム画像７１ｂに例えば赤枠の表示を実行させる。主制御部２０は、このような表示変更を表示データ生成部２４に指示し、シート表示制御部２９を介して該当シートの表示における一部の表示色の変更や枠表示を実行させる。
【０２１５】
アウト点指定操作が検知された場合は、主制御部２０はステップＦ６０４からＦ６０５に進み、そのアウト点指定操作に係るフレーム画像のタイムコードをアウト点とするように編集データを生成（更新）する。
また、ステップＦ６０６では、ユーザにアウト点指定を明示するための表示制御を行う。例えばアウト点指定操作が行われた操作ボタン表示の「Ｏｕｔ」の表示を、例えば青色など、特定の色に変更させ、さらにアウト点とされたフレーム画像に例えば青枠の表示を実行させる。主制御部２０は、このような表示変更を表示データ生成部２４に指示し、シート表示制御部２９を介して該当シートの表示における一部の表示色の変更や枠表示を実行させる。
【０２１６】
以上のようにしてイン点、アウト点の指定が行われ、主制御部２０は、ユーザの指定操作に応じて当該展開中のクリップについてのイン点、アウト点を示した編集データを生成する。
また、シート７，７・・・上では、操作ボタン表示が赤色とされることやフレーム画像の赤枠で、イン点がユーザに明示され、操作ボタン表示が青色とされることやフレーム画像の青枠で、アウト点がユーザに明示される。
なお、イン点を赤色、アウト点を青色で明示することは一例にすぎない。他の色でも良いし、色ではなく、表示内容を変更してイン点、アウト点をユーザに分かり易く提示するようにしてもよい。
【０２１７】
次に表紙表示部４を用いた編集について説明する。
例えば、上述のように或るクリップが選択されてクリップ画像がシート７，７・・・に展開された後は、表紙表示部４では、図３９（ａ）のような編集画面が表示されるようにする。
この編集画面では、クリップ画像表示７０として選択されたクリップの画像が表示される。また各種の操作子表示として、動作再生に関する操作子画像７１や編集作業に用いる操作子画像７２が表示される。
操作子画像７１としては、例えば再生、早戻し、早送り、停止の操作のための操作ボタンの画像が表示され、タッチ操作による動作再生に関する指示が可能とされる。ユーザは、操作子画像７１の操作により、クリップ画像表示７０としての動画の再生や、早戻し、早送り、動画再生の停止を指示することができる。主制御部２０は、操作子画像７１のタッチ操作に応じて、選択されているクリップについての動画再生制御を行う。
【０２１８】
また編集作業に用いる操作子画像７２としては、ダイヤル画像、フェーダー画像、ボタン画像などが表示され、タッチ操作により各種の編集操作が可能とされる。
例えばビデオレベルとして輝度レベルやクロマレベルの調整操作、モーションコントロール（動画速度設定）操作、反転やフェードイン／アウトなどの画像エフェクト操作、編集の取り消し、終了、進行などの操作が可能とされる。
従ってユーザは、クリップの動画映像を見ながら、ビデオレベルや画像エフェクトなどの各種の編集設定入力を行うことができる。
【０２１９】
このような編集画面を表示させている際の主制御部２０の処理を図４４に示す。
主制御部２０は、図３９（ａ）のような編集画面上のタッチ操作を検知した場合は、ステップＦ６５１からＦ６５２に進む。
検知したタッチ操作が動作再生に関する操作子画像７１の１つについての操作であった場合は、ステップＦ６５２からＦ６５３に進み、操作に応じた動画再生制御を行う。
例えば再生ボタンが押されたのであれば、選択中のクリップの動画再生を開始させる。この場合、不揮発性メモリ部２２から該当クリップの各フレーム画像データを順次読み出させて表示データ生成部２４に転送させる。表示データ生成部２４は、各フレーム画像データをクリップ本来のフレームレートで順次クリップ画像表示７０として表示させるように表示データ処理を行うことで、動画の再生表示が行われる。
また早戻し、早送り操作の場合は、それらに応じて早戻し再生、早送り再生を実行させる。例えば早送り再生の場合、不揮発性メモリ部２２から間欠的にフレーム画像データを順次読み出させ、表示データ生成部２４がこれを順次クリップ画像表示７０として表示させることで早送り再生が実行される。
停止操作を検知した場合は、再生を停止させ、その停止時のフレーム画像を継続して表示させる。
【０２２０】
主制御部２０は、検出した操作が編集作業に用いる操作子画像７２である場合（但し編集終了操作以外）は、ステップＦ６５４からＦ６５５に進み、操作に応じた設定で画像制御を行う。
例えばビデオレベルの操作が行われた場合は、操作に応じた輝度レベルやクロマレベルの数値を編集値として保持すると共に、その編集値としての輝度レベルやクロマレベルを表示データ生成部２４に与え、再生中の動画又は停止中の静止画として表示しているクリップ画像表示７０の輝度レベルやクロマレベルを変化させるようにする。
これによりユーザは、クリップ画像表示７０を見ながら、ビデオレベルやクロマレベルを適切に調整操作できる。
また、画像エフェクト操作、モーションコントロール操作などが行われた場合も、それらの操作に応じて編集値を保存するとともにクリップ画像表示７０に反映させる。
【０２２１】
ユーザの編集終了操作を検知した場合、主制御部２０は処理をステップＦ６５６からＦ６５７に進め、それまで保持していた編集値に基づいて、編集データを更新し、編集処理を終える。
【０２２２】
図３９（ｂ）は、上述したシート７，７・・・を用いたカット編集や、表紙表示部４での動画再生を見ながらの編集を行った後に、表紙表示部４をサムネイル表示とした場合の表示例である。
例えばユーザの画面切換操作により、図３９（ａ）の編集画面から、この編集後のサムネイル表示画面に切り換えるようにしてもよいし、図４４の編集処理を終える場合、主制御部２０は、表紙表示部４の画像を自動的に図３９（ｂ）のようなサムネイル表示の画像に切り換えるようにしてもよい。
この編集後のサムネイル表示６０では、既に１度以上編集が行われたクリップを明示するようにする。例えばここではクリップ名に「Ｅｄｉｔ」という文字を表示させたり、サムネイルに枠表示を行うことで、編集が行われたクリップをユーザに明示する例としている。
【０２２３】
ユーザが、或るクリップを指定し、クリップ画像を各シート７，７・・・に展開した後の、そのクリップに対する編集は以上のように行われる。
ユーザは、引き続き任意のクリップを選択し、上記同様のカット編集等を行うことができる。例えば図３９（ｂ）のサムネイル表示６０において、まだ編集を行っていないクリップを選択することで、選択されたクリップについてのシート７，７・・・への画像の展開や、シート７や表紙表示部４を用いた編集を行うことができる。
もちろん編集済のクリップについて再度選択し、内容確認や編修作業を行っても良い。
さらに、１つのクリップについて、複数のイン点、アウト点を指定することも可能である。
なお、以上のようなクリップの編集は、エディットマスターブック１Ｍだけでなく、エディットブック１においても同様に実行できる。
【０２２４】
［III−４．編集手順］
ここまではエディットマスターブック１Ｍを用いたクリップ編集について述べたが、以下では、エディットブック１、エディットデスク３００を用いて、各クリップを時間軸順序に連結する編集について述べる。
【０２２５】
図４５は、上述してきたノンリニアエディタ１００、エディットマスターブック１Ｍ、複数のエディットブック１、及びエディットデスク３００を使用して行う編集作業の手順をステップＳＴ１１〜ＳＴ２１として示している。
【０２２６】
ステップＳＴ１１として、まず先にも述べたように、ノンリニアエディタ１００からエディットマスターブック１Ｍに、コンテンツ制作に使用する多数のクリップをダウンロードする。
次にステップＳＴ１２では、エディットマスターブック１Ｍにおいて、各クリップの編集が行われる。これは、上述したシート７，７・・・を使用したイン点／アウト点の設定や、表紙表示部４での編集作業である。
【０２２７】
エディットマスターブック１Ｍにおいて、各クリップが編集されたら、続いてステップＳＴ１３として、編集作業者が図３４の接続を行った状態で、エディットマスターブック１Ｍから各エディットブック１に対して、それぞれ１つのクリップ情報のダウンロードを実行させる。
各エディットブック１にダウンロードされるクリップ情報の内容は、クリップナンバ（クリップの識別子）、イン点及びアウト点のタイムコード、クリップ動画を構成するフレーム画像データ（例えば全フレーム画像のそれぞれをＪＰＥＧ圧縮した静止画データ）である。
例えばクリップＣＬ１のクリップ情報が１つのエディットブック１にダウンロードされ、またクリップＣＬ２のクリップ情報が他の１つのエディットブック１にダウンロードされるというように、１つのエディットブック１に、１つのクリップ情報が供給される。
【０２２８】
各エディットブック１はクリップ情報がダウンロードされると、それぞれ表紙表示部４に図４７のような表示を行って、クリップ内容を表現する。
例えばイン点、アウト点が設定されたクリップについて、図示するように、イン点のフレーム画像に基づくサムネイル画ＴＭ１、イン点のタイムコードＴＣｉ、アウト点のフレーム画像に基づくサムネイル画ＴＭ２、アウト点のタイムコードＴＣｏ、ノンリニアエディタ１００及びエディットマスターブック１Ｍにおいてクリップ管理のために付されているクリップナンバＣＮが表示される。
このような表示により、作業者は、各エディットブック１が、それぞれどのような映像内容のクリップに対応するのかを認識できるものとなる。
さらに各エディットブック１の主制御部２０は、１つのクリップ情報がダウンロードされた時点で、図４２のクリップ映像展開処理を行い、各シート７，７・・・にクリップを構成するフレーム画像を展開して表示させる。これにより作業者は、１つのエディットブック１により、対応するクリップの動画内容を、詳細に見ることができる。
【０２２９】
次にステップＳＴ１４として編集作業者は、このようなエディットブック１を、エディットデスク３００上で、水平、垂直方向に、意図する順序で並べていく。
【０２３０】
編集作業者は、自分の思うとおりにエディットブック１を並べ終えたら、エディットデスク３００に並び順序の読取を指示する。
エディットデスク３００はステップＳＴ１５として、編集面３０１上に水平、垂直方向に並べられたエディットブック１の順序を読み取る。
そしてステップＳＴ１６でで、読み取った時間的順序に基づいて編集データ（ＥＤＬ）を作成し、作成した編集データをエディットマスターブック１Ｍにアップロードする。
【０２３１】
編集作業者は、ステップＳＴ１７として編集結果を確認する。例えばエディットマスターブック１Ｍの表紙表示部４において、エディットデスク３００からアップロードされた編集データに基づいて各クリップ映像を再生させ、編集作業者は、それを確認する。即ち多数のクリップが編集データで指定された順序に連結された映像コンテンツを再生させて編集結果を確認する。
ステップＳＴ１８で編集作業者がＯＫと判断すれば、次にステップＳＴ２１として、エディットマスターブック１Ｍからノンリニアエディタ１００に、編集データをアップロードする。
ノンリニアエディタ１００側では、送信されてきた編集データを記憶部１０２に取り込むと共に、その編集データを、ノンリニアエディタ１００自身での操作による編集データと同等に扱うようにして、クリップの編集結果として反映させる。これによりノンリニアエディタ１００においては、例えば完パケとしての映像コンテンツが作成されたことになる。
以上により、一連の編集作業が完了する。
【０２３２】
一方、ステップＳＴ１７の確認の結果、ＯＫでなければステップＳＴ１９に進む。編集作業者は、ステップＳＴ１９で、或るクリップについてイン点、アウト点の変更が必要か否かを判断する。クリップ自体の変更が必要ない場合は、ステップＳＴ１４の作業からやり直す。つまり、エディットブック１をそのまま使用して、再度エディットデスク３００上で順番を考える。
また、クリップ自体のイン点、アウト点の変更やエフェクトの変更等を行う場合は、ステップＳＴ２０として、そのクリップを表現するエディットブック１を用いてクリップの編集をやり直すことができる。即ち、上記のようにエディットマスターブック１Ｍで実行するとした、シート７，７・・・を用いたイン点／アウト点の設定や、表紙表示部４での各種映像効果などの編集を、エディットブック１で同様に行うことで、クリップ自体の編集データを更新できる。エディットブック１の主制御部２０は、編集作業者の操作に応じて、上記図４３，図４４の処理を行えばよい。
そしてクリップ編集をやり直したら、ステップ１４の作業からやり直す。
【０２３３】
なお、図４５では示していないが、ステップＳＴ１７の確認後の時点で、各クリップの順番については変更不要であるが、或るクリップについて、イン点／アウト点の設定などを変更したい場合は、その時点でエディットマスターブック１Ｍ上で、当該クリップを指定して、上述のようなクリップ編集をやり直し、その後ステップＳＴ２１に進むようにしても良い。
【０２３４】
［III−５．エディットブックへのクリップダウンロード動作］
一連の編集作業手順は、以上のようになる。
ここでは、図４５のステップＳＴ１３としてのクリップ情報のエディットブック１へのダウンロードの際の各機器の動作について説明する。
図４６は、エディットマスターブック１Ｍの主制御部２０と、各エディットブック１の主制御部２０の、クリップ情報ダウンロード時の処理例を示している。
【０２３５】
まずエディットマスターブック１Ｍ側では、編集作業者は、例えば上述のようにイン点、アウト点を設定したクリップを複数選択し、これらについてのクリップ情報のダウンロードを指示する操作を行う。
これに応じて、エディットマスターブック１Ｍの主制御部２０は、まずステップＦ７０１で、選択された複数のクリップについて、クリップ情報をダウンロードする複数のクリップをクリップＣＬ１〜ＣＬｍとして設定する。
【０２３６】
続いてエディットマスターブック１Ｍの主制御部２０は、ステップＦ７０２で、図３４のように接続されている複数のエディットブック１のそれぞれに対して、ブックＩＤを送信するようにＩＤ要求情報を送信する。
各エディットブック１の主制御部２０は、ＩＤ要求情報を受信したら、ステップＦ８０１からＦ８０２に進み、自己のブックＩＤをエディットマスターブック１Ｍに送信する。
この動作によりエディットマスターブック１Ｍは、接続されている全エディットブック１からブックＩＤを取得する。
【０２３７】
エディットマスターブック１Ｍの主制御部２０は、接続されている全エディットブック１のブックＩＤを受信したら、ステップＦ７０３からＦ７０４に進み、ステップＦ７０１でダウンロード対象として設定したｍ個のクリップと、各ブックＩＤの対応付けを行う。
これは先に図２６で説明した対応付けと同様の処理であり、エディットマスターブック１Ｍ側で、クリップＣＬ１〜ＣＬｍに対応づけたブックＩＤを記憶する。
【０２３８】
クリップとブックＩＤの対応付けを終えたら、エディットマスターブック１Ｍの主制御部２０はステップＦ７０５以降でクリップ情報のダウンロードを開始する。
まずエディットマスターブック１Ｍの主制御部２０はステップＦ７０５で変数Ｍ＝１とする。そしてステップＦ７０６で、クリップＣＬ（Ｍ）のクリップ情報を、そのクリップに対応づけたブックＩＤのエディットブック１に送信する。
例えばクリップＣＬ１にブックＩＤ＝＃１のエディットブック１が対応づけられているとすると、クリップＣＬ１についてのクリップナンバ、イン点及びアウト点のタイムコード、クリップＣＬ１の動画を構成するフレーム画像データを、ブックＩＤ＝＃１のエディットブック１に送信する。
【０２３９】
この場合、ブックＩＤ＝＃１のエディットブック１の主制御部２０は、ステップＦ８０３で、クリップ情報を受信したら、ステップＦ８０４に進み、表紙表示部４においてクリップ内容を表現する図４７のような表示を実行させる。
またステップＦ８０５で、ブックＩＤ＝＃１のエディットブック１の主制御部２０は受信したクリップＣＬ１について上記図４２の処理を行って、各シート７，７・・・にクリップ画像を展開表示させる。
以上で、ブックＩＤ＝＃１のエディットブック１についてはダウンロードが完了する。
【０２４０】
エディットマスターブック１Ｍの主制御部２０は、１つのクリップ情報の送信を終えたら、ステップＦ７０７で変数Ｍとクリップ数ｍを確認し、全てのダウンロード対象クリップについてのクリップ情報の送信を終えたか否かを確認する。
終えていなければ、主制御部２０はステップＦ７０８で変数Ｍをインクリメントして、ステップＦ７０６に戻る。従って、次にはクリップＣＬ２のクリップ情報を、対応づけたブックＩＤのエディットブック１（例えばブックＩＤ＝＃２）に送信することになる。
クリップ情報を受信した、ブックＩＤ＝＃２のエディットブック１の主制御部２０は、ステップＦ８０３からＦ８０４，Ｆ８０５に進み、クリップ内容を表現する表紙表示部４での表示、及びシート７，７・・・へのクリップ画像の展開を行ってダウンロードを完了する。
【０２４１】
エディットマスターブック１Ｍでは、ステップＦ７０６の処理を、ステップＦ７０７で変数Ｍ＝ダウンロード対象クリップ数ｍとなるまで繰り返す。つまり、各エディットブック１に、順次クリップ情報を送信していく。
そしてｍ個の各クリップＣＬ１〜ＣＬｍについて、クリップ情報の送信を終了したら、エディットマスターブック１Ｍの主制御部２０はダウンロード処理を終える。
このような図４６の処理により、複数のクリップＣＬ１〜ＣＬｍのそれぞれのクリップ情報が、ｍ個のそれぞれ別のエディットブック１にダウンロードされることになる。
そして各エディットブック１では、表紙表示部４及び各シート７，７・・・にクリップ内容を表現する表示が実行され、編集作業者がクリップ内容を認識できる状態となる。
【０２４２】
この後、編集作業者は、各エディットブック１をエディットデスク３００上で水平、垂直方向に並べる作業を行うことになる。
なお編集作業者は、図４５のステップＳＴ１４において、エディットデスク３００上でエディットブック１を並べるわけであが、このときには、エディットブック１のシート７，７・・・にクリップ画像が表示されているため、その画像内容を非常に詳細かつ容易に確認しながら編集作業を進めることができる。
【０２４３】
なお、各エディットブック１は、表紙表示部４での表示を継続するため、電源オン状態を維持する。但し、クリップ情報のダウンロードとエディットデスク３００上での編集作業が時間を置いて行われる場合、編集作業者は、ダウンロード後に、一旦各エディットブック１の電源をオフとし、エディットデスク３００での作業時に電源オンとするようにしてもよい。クリップ情報がダウンロードされているエディットブック１は、電源オンとされるとともに、表紙表示部４における図４７の表示を再開する。また各シート７，７・・・再度クリップ画像を展開する。
【０２４４】
［III−６．エディットデスクでの編集時の動作］
次に、図４５のステップＳＴ１５，ＳＴ１６の際に行われるエディットデスク３００とエディットブック１の処理について説明する。
【０２４５】
図４８は、編集作業者がエディットデスク３００上でエディットブック１の配列を終え、エディットデスク３００に読み取りを指示する操作を行った際の、デスク制御部３１０の処理を示している。
編集作業者が操作部３０２により、エディットブック１の並び順序の読み取り指示の操作を行うことに応じて、デスク制御部３１０は、図４８の処理をステップＦ９０１からＦ９０２に進める。
【０２４６】
まずデスク制御部３１０はステップＦ９０２で、制御判定部３１４に、非接触無線通信によって編集面３０１上の各エディットブック１に対してＺ位置判別コマンド（積み重ね位置の判別コマンド）を送信させる。
この場合、Ｘ軸アンテナアレー３２０もしくはＹアンテナアレー３２１のいずれかが選択され、選択されたアンテナアレーの全アンテナ（もしくは一部のアンテナでもよい）が駆動されて、編集面３０１上の全エディットブック１に対して、Ｚ位置判別コマンドが送信される。
そしてデスク制御部３１０は、ステップＦ９０３で、非接触無線通信により全エディットブック１に対して準備確認要求コマンドを送信しながら、そのレスポンスにより、ステップＦ９０４で全エディットブック１側の準備完了が確認されることを待機する。
【０２４７】
編集面３０１上に並べられた各エディットブック１では、メモリタグ３０によってエディットデスク３００からのＺ位置判別コマンドが受信された場合、そのＺ位置判別コマンドがメモリタグ３０のタグ制御部から主制御部２０に伝えられ、主制御部２０によって図４９の処理が開始される。
【０２４８】
Ｚ位置判別コマンドを受信したら、主制御部２０は図４９のステップＦ８２０からＦ８２１に進み、まずメモリタグ３０のタグ制御部に対して、準備未了のレスポンスをエディットデスク３００に伝えるための通知設定を指示する。
即ちエディットデスク３００からは、上記ステップＦ９０３で準備確認要求コマンドを繰り返し送信してくるが、そのレスポンスとして「準備未了」を示す情報を送信するようにメモリタグ３０のタグ制御部に指示する。
また、ここでエディットデスク３００からのＩＤ要求コマンドに対してのレスポンス設定として、自己のブックＩＤの送信を行うように設定する。
エディットデスク３００は、後述する図４８のステップＦ９０５でのＸＹスキャンの際に、ＩＤ要求コマンドを発信してくるが、このレスポンス設定とは、このＩＤ要求コマンドに対して、自己のブックＩＤを返信することの設定である。メモリタグ３０のタグ制御部は、ＩＤ要求コマンドに対して自己のカードＩＤを送信するというレスポンス設定を行う。
【０２４９】
続いてエディットブック１の主制御部２０はステップＦ８２２で、所定数のホール素子３１の磁気検出信号を確認して、自己のエディットブック１のＺ方向位置（重なり位置）を判別する。即ち主制御部２０は、ホール素子３１の検出結果により、自己のエディットブック１が、他のエディットブック１と重ねられているかいないか、また重ねられている場合は最上段、中間位置、最下段のいずれであるかを認識する。
【０２５０】
自己のエディットブック１が、他のエディットブック１と重ねられていない場合は、主制御部２０はステップＦ８２３からＦ３３１に進み、準備完了のレスポンスをエディットデスク３００に伝えるための通知設定を行う。即ちエディットデスク３００からの上記ステップＦ９０３での準備確認要求コマンドに対するレスポンスとして「準備完了」を示す情報を送信するようにメモリタグ３０のタグ制御部２３０に指示する。メモリタグ３０のタグ制御部は、準備確認要求コマンドに対するレスポンスデータとして、それまでセットしていた「準備未了」の情報を、「準備完了」示す情報に半導体メモリ上で書き換える。
【０２５１】
自己のエディットブック１が他のエディットブック１と重ねられている場合は、ステップＦ８２３からＦ８２４に進む。
そして自己のエディットブック１が最上段である場合は、ステップＦ８２８に進み、主制御部２０は、ブックＩＤパケット送信制御を行う。図２２（ｂ）のようにデータ領域ＡＲ１に自己のブックＩＤを書き込んだパケットを生成し、発光系３４から光変調信号として送信出力させる。
【０２５２】
そして光送信を終えたら、ステップＦ８３０に進み、エディットデスク３００からのＩＤ要求コマンドに対してのレスポンス停止の設定を行う。
これは、エディットデスク３００が後述する図４８のステップＦ４０６でのＸＹスキャンの際にＩＤ要求コマンドを発信したときに、最上段のエディットブック１の場合は、メモリタグ３０が、そのＩＤ要求コマンドに対して反応しない（もしくは無効データを返信する）ようにする設定を行うものである。
上記ステップＦ８２１では、ＩＤ要求コマンドに対して自己のブックＩＤを送信する基本設定がなされるが、この場合、メモリタグ３０が主制御部２１１からのレスポンス停止設定の指示に応じて、ステップＦ８２１での自己のカードＩＤの送信設定を無効化し、ＩＤ要求コマンドに対するレスポンス停止設定を行う。
その後、主制御部２０はステップＦ８３１に進み、メモリタグ３０のタグ制御部に対して、準備完了のレスポンスをエディットデスク３００に伝えるための通知設定を行う。
【０２５３】
自己のエディットブック１が他のエディットブック１と重ねられているが、最上段ではない場合は、主制御部２０はステップＦ８２５に進む。そして上段のエディットブック１からの光通信によるパケット受信を待機する。
受光系３３によって上段のエディットブック１からのパケットが受信されたら、ステップＦ８２６で、重なりの中間位置であるか最下段であるかにより処理を分岐する。
自己のエディットブック１が重なりの中間位置である場合は、ステップＦ８２７に進み、主制御部２０は、カードＩＤパケット送信制御を行う。受信したパケット構造に自己のブックＩＤを追加した、例えば図２２（ｃ）（ｄ）のようなパケットを生成し、発光系３４から光変調信号として送信出力させる。
そして主制御部２０はステップＦ８３０で、メモリタグ３０に、エディットデスク３００からのＩＤ要求コマンドに対してのレスポンス停止の設定を指示する。またステップＦ８３１で、メモリタグ３０に対して、準備完了のレスポンスをエディットデスク３００に伝えるための通知設定を指示する。
【０２５４】
自己のエディットブック１が最下段であった場合は、ステップＦ８２５で光通信パケットの受信に応じて、ステップＦ８２６からＦ８２９に進み、上段のエディットブック１からの受信パケットから伝達されたカードＩＤを抽出し、自己のカードＩＤを加えて、ＩＤ順序のデータを設定する。つまり重ねられた各ブックＩＤについて、上から順番にブックＩＤを並べたＩＤ順序のデータを生成する。そしてこれをメモリタグ３０のタグ制御部に伝え、このＩＤ順序のデータを、エディットデスク３００からのＩＤ要求コマンドに対するレスポンスデータと設定させる。メモリタグでは、ＩＤ順序のデータを半導体メモリに保存し、ＩＤ要求コマンドに対するレスポンスとして設定する。
その後、主制御部２０はステップＦ８３１で、メモリタグ３０に対して、準備完了のレスポンスをエディットデスク３００に伝えるための通知設定を指示する。
【０２５５】
デスク制御部３１０は、図４８のステップＦ９０３として、非接触無線通信により、繰り返し各エディットブック１に対して準備確認要求コマンドを発信させ、そのレスポンスとして各エディットブック１から「準備未了」又は「準備完了」の通知を受信している。
デスク制御部３１０は、全てのレスポンスが「準備完了」となることで、ステップＦ９０４でＯＫと判定する。
そして全てのエディットブック１が準備完了となったことに応じて、デスク制御部３１０はステップＦ９０５に進み、ＩＤ要求コマンドを伴ったＸＹスキャンを行う。
【０２５６】
つまり図１４で説明したように、Ｘ軸アンテナアレー３２０の各アンテナ、Ｙ軸アンテナアレー３２１の各アンテナを順次駆動させる。このとき各アンテナからＩＤ要求コマンドを送信させる。これに応じて、積み重ねられていないエディットブック１では、自己のカードＩＤを返信してくる。また積み重ねられている複数のエディットブック１については、最上段及び中間位置のエディットブック１は、ＩＤ要求コマンドに対してレスポンス停止設定がなされているため返信せず、最下段のエディットブック１が、積み重ねられたは各エディットブック１のＩＤ順序のデータを返信してくる。
このとき、カード位置検出部３１２は、レスポンスとしてのブックＩＤ（及びＩＤ順序のデータ）と、その際の電界強度の検出により、各エディットブック１（及び積み重ねられたエディットブック群）のＸＹ座標を判定し、デスク制御部３１０に通知する。
デスク制御部３１０は、レスポンスとして受信された各ブックＩＤ（及びＩＤ順序のデータ）と、各ブックＩＤ（及びＩＤ順序のデータ）についてのＸＹ座標値に基づいて、各ブックＩＤについての時間的順序を判定する。
【０２５７】
デスク制御部３１０は、ＸＹスキャンを終えたらステップＦ９０６で、例えば上記のようなスキャン結果（ブックＩＤの時間的順序を判定結果）に基づいてＥＤＬ作成部３１１に編集データ（エディットリストＥＤＬ）を作成させる。
そしてステップＦ９０７で、外部インターフェース３０４から、作成された編集データをエディットマスターブック１Ｍへアップロードさせる。
【０２５８】
エディットマスターブック１Ｍでは、図４６のステップＦ７０４の処理で、各クリップとブックＩＤを対応させている。このため例えばカードＩＤ順序を示した編集データを受信したら、これをクリップの順番に置き換えることができる。
従って、エディットデスク３００からアップロードされた編集データから、実際のクリップ順序を示す編集データを生成でき、例えばこれを映像コンテンツの編集データとすることができる。
【０２５９】
図４５のステップＳＴ１７としては、編集結果の確認が行われるが、エディットマスターブック１Ｍにおいて、表紙表示部４で、このクリップ順序で各クリップを再生させることで、編集作業者は、エディットデスク３００を使用しての編集結果の映像コンテンツを、実際に映像で確認できることになる。
【０２６０】
＜IV：実施の形態の効果及び変形例＞
以上の実施の形態によれば、それぞれが入力されたクリップ情報に基づいてクリップ内容を表現するエディットカード２００やエディットブック１を、エディットデスク３００上で並べたり、積み重ねるといった非常に感覚的な作業により、各クリップを時間軸上で連結する動画編集を行うことができる。
即ち、作業者は、困難な操作を必要とせずに、単にクリップ内容を認識しながら、順番に並べるという作業を行えばよいので、装置に対する熟練を必要とせずに、効率的な映像編集が可能となる。またこれによって作業者は映像内容、編集内容自体に集中できる。
【０２６１】
またエディットカード２００を用いる場合は、例えばエディットカード２００を指定することで、対応するクリップ画像をノンリニアエディタ１００で動画確認できる。
さらにエディットブック１を用いる場合は、エディットブック１自体がクリップを表現する書籍としての形態となっているため、即座に内容を確認できる。もちろんシート７，７・・・で時間的に進行する静止画で確認するだけでなく、例えば表紙表示部４でクリップ動画自体を再生表示させることで、実際の動画確認も可能である。
これらのように各クリップの動画内容を非常に容易に確認できつつ、編集作業を進めることができるため、編集作業者は、より的確に、動画コンテンツの構成を考えながら、編集を進めることができる。
【０２６２】
また、エディットデスク３００上では、水平方向に並べるだけでなく、積み重ねて垂直方向にも並べられることで、編集面３０１として必要以上に広い面積を用意する必要もない。
例えば順番を固定したエディットカード２００やエディットブック１を積み重ねていくようにすれば、編集面３０１の面積を有効に活用でき、非常に多数のクリップから成る長編の映像コンテンツ制作にも対応できる。
【０２６３】
また、エディットカード２００やエディットブック１としての単位映像表現装置は、入力された単位映像情報に基づいて単位映像内容を表現する表示を行うため、例えば画像を印刷したカードを用意するなどの面倒な準備は不用であり、また編集後に印刷したカードが不要になって廃棄するなどの無駄がなく、時間、コスト、環境負荷が軽減される。
もちろんエディットカード、エディットブックはダウンロードに応じてクリップを表現するものであるため、繰り返し永続的に使用できる。
また編集のし直しの場合の対応も容易である。
クリップのイン点／アウト点を変更や、クリップ連結順序の変更などにも柔軟かつ容易に対応できる。
【０２６４】
またエディットブック１の場合、シート７は電子ペーパーで形成されるが、上述したように電子ペーパーでは、一旦表示を行った後は、電源オフ状態でも或る程度の期間（電子ペーパーの種類によるが例えば１週間程度）は画像が保たれる。
従って、シート７，７・・・にクリップ画像を展開した後は、電源オフの状態としてもシート７による画像確認ができる。例えば外出先や移動中でバッテリー消費を避けたいために電源オフとしている場合、或いは電池切れとなった場合などでも、クリップの画像確認作業は可能である。
またエディットカード２００の場合は、電子ペーパー部２０１にクリップのサムネイル画像等が表示されるが、これも電源オフ状態で表示を継続する。このため、通常使用時は電源オフ状態でよく、内蔵バッテリーの長寿命化を実現できる。
【０２６５】
エディットマスターブック１Ｍを用いることで、クリップ自体の編集も非常に容易化される。エディットマスターブック１Ｍでは、ダウンロードしたクリップについて、その動画を構成するフレーム画像を、時間軸方向に順に各ページに並ぶように、シート７，７・・・に展開させることができる。これは、ユーザがクリップの内容を本を見る感覚で確認できる。この点で、映像コンテンツの制作を行おうとするユーザなどが、映像素材としてのクリップ内容を容易に確認できるものとなる。しかも、ノンリニアエディタ１００などの複雑な操作を必要とする編集専用機で映像内容を確認することとは異なり、非常に容易に映像内容を確認できるため、特に熟練者でなくとも扱うことができる。
また、ページをめくっていく感覚で動画映像の内容を確認できるわけであるが、パラパラ漫画的に動画を確認することもできる。その場合、擬似的に動画をみるような感覚を持つこともでき、動画内容確認や、編集ポイントの探索には非常に好適である。
また、シート７，７・・・を用いてイン点、アウト点を指定する操作に関しても、シートに固定表示されている画像を指定するという操作で、直感的に可能である。このため熟練を要せずに誰でも容易にカット編集を行うことができるようになる。
さらに、カット編集だけでなく、表紙表示部４で動画を見ながら多様な編集も可能であるため、高度な編集作業にも対応できる。
【０２６６】
本発明は、上記実施の形態に限らず、多様な変形例が想定される。
エディットカード２００やエディットブック１の表紙表示部４では、クリップの表現として、イン点、アウト点の画像に限らず、他のサムネイル画像でもよい。また１つのサムネイル画像でもよいし、３以上のサムネイル画像を表示してもよい。
また、エディットカード２００やエディットブック１で表示されるイン点／アウト点の画像を、エディットデスク３００からの非接触無線通信で書き換えることができるようにしてもよい。
またクリップ情報としてクリップ内容を説明するテキストデータ等を含めるようにし、エディットカード２００やエディットブック１において、そのテキストを表示しても良い。
またクリップ情報として音声データを含めるようにしてもよい。その場合、エディットカード２００やエディットブック１に音声再生機能を設けるようにし、編集作業者の操作に応じて音声データが再生出力されることで、クリップの内容を表現することもできる。
また、エディットカード２００内表示部を、エディットブック１の表紙表示部４のような動画表示可能な表示デバイス（液晶パネルや有機ＥＬパネル等）とし、その表示部でクリップ動画を表示できるようにしてもよい。
【０２６７】
また、実施の形態ではノンリニアエディタ１００、エディットカード２００，カードバインダ１５０、エディットデスク３００、エディットマスターブック１Ｍ、エディットブック１等の機器間を、ＵＳＢ、ＩＥＥＥ１３９４などの通信方式によるケーブル接続で通信を行うものとしたが、無線ＬＡＮ、ブルートゥース、或いは光通信などの通信ユニットを各機器で内蔵し、無線通信によってダウンロードや編集データの転送を行うようにしてもよい。
またさらには、カードバインダ１５０（エディットカード２００）とノンリニアエディタ１００の通信、エディットデスク３００とノンリニアエディタ１００の通信、エディットマスターブック１Ｍとノンリニアエディタ１００の通信などを、インターネット等のネットワークを介した通信により行うようにしても良い。
その場合、離れた場所にあるノンリニアエディタ１００と通信してクリップのダウンロードを行ったり、編集データを送信できる。例えば放送業務に携わる編集作業者が、放送局外で放送局のノンリニアエディタ１００にアクセスして、映像素材の編集作業を行うことも可能となる。
【０２６８】
エディットデスク３００におけるＸＹスキャンのためのアンテナ構造やスキャン動作は多様に考えられる。あくまで、編集面３０１上に配置されたエディットカード２００又はエディットブック１のＩＤと位置が判定できる構造及び動作であればよい。
また、実施の形態では、エディットデスク３００は、エディットカード２００のカードＩＤ又はエディットブック１のブックＩＤを読み取るものとしたが、例えばエディットカード２００やエディットブック１が、対応するクリップナンバを非接触無線通信でエディットデスク３００に送信するようにすることも考えられる。
即ちエディットカード２００やエディットブック１は、クリップ情報がダウンロードされることに応じて、クリップナンバを、エディットデスク３００のＩＤ要求コマンドに対するレスポンスとして設定し、エディットデスク３００のＸＹスキャン時に送信する。
エディットデスク３００は、クリップナンバを、編集面３０１上の並び順に応じて時間的順序に並べて編集データを生成し、ノンリニアエディタ１００もしくはエディットマスターブック１Ｍにアップロードする。
このようにすると、ノンリニアエディタ１００もしくはエディットマスターブック１Ｍは、各クリップをエディットカード２００やエディットブック１にダウンロードする際に、カードＩＤ（ブックＩＤ）とクリップナンバを対応づける必要はなくなる。
【０２６９】
またエディットマスターブック１Ｍ、エディットブック１を用いる実施の形態では、エディットマスターブック１Ｍから各エディットブック１にクリップ情報をダウンロードするものとしたが、エディットマスターブック１Ｍを使用しないことも考えられる。
即ちノンリニアエディタ１００が例えばイン点／アウト点の設定を終えた各クリップのクリップ情報を、各エディットブック１のそれぞれにダウンロードする。そして各エディットブック１を用いてエディットデスク３００上で編集作業が行われた後、エディットデスク３００がノンリニアエディタ１００に編集データをアップロードするという使用形態である。
更には、エディットマスターブック１Ｍから多数のエディットカード２００にクリップ情報をダウンロードし、エディットカード２００をエディットデスク３００上に配置して編集を行うことも考えられる。
【０２７０】
またエディットデスク３００は、静止したエディットカード２００（又はエディットブック１）の位置を読み出して編集データに反映するものとしたが、例えばエディットデスク３００は、編集面３０１上で移動するエディットカード２００（又はエディットブック１）を検出することも可能である。
これを利用し、例えば映像のワイプ効果としての編集を、エディットカード２００をリアルタイムに移動させその軌跡を計算することにより実現することが可能である。
例えば、編集作業者が２枚のエディットカード２００を離れた状態から、重ね合わせた場合、エディットデスク３００はこの動きを検出し、２つのクリップをリアルタイムでワイプするなどの映像効果の編集データを生成することなどが可能である。
この為には、編集面３０１上にホール素子を格子状に並べその上をエディットカード２００（磁石内蔵）が移動し、各ホール素子の電圧の変化から、移動方向、速度、加速度を編集機アプリケションソフトウエアにて求め映像効果に取り込めば可能である。
又、エディットカード２００を故意に裏表を反転することを検出して、ネガポジ反転効果に応用しても良い。
【０２７１】
実施の形態では、１つのエディットカード２００（又はエディットブック１）は、１つのクリップを表現するものとしたが、エディットカード２００（又はエディットブック１）が表現する単位映像とは、いわゆる「クリップ」に限られるものではない。
例えば既に複数のクリップが連結編集されたものを１つの単位映像として扱って、エディットカード２００（又はエディットブック１）にダウンロードしてもよい。
例えば１つの放送番組の映像コンテンツとして、第１部、第２部、及び多数の広告映像などから構成する場合、まず多数のクリップをエディットカード２００にダウンロードしてエディットデスク３００上で第１部の編集を行い、また多数のクリップをエディットカード２００にダウンロードしてエディットデスク３００上で第２部の編集を行う。
その後、第１部の映像、第２部の映像を、それぞれ単位映像として２つのエディットカード２００にダウンロードし、かつ各広告映像をそれぞれエディットカード２００にダウンロードし、これらのエディットカード２００を用いてエディットデスク３００上で編集して、１つの放送番組としての映像コンテンツを制作することもできる。
つまり、１つのエディットカード２００（又はエディットブック１）が表現する映像単位とは、時間的な順序が既に固定された一連の映像と考えればよい。
【図面の簡単な説明】
【０２７２】
【図１】本発明の実施の形態の編集システムの構成概念の説明図である。
【図２】実施の形態の編集システムにおけるノンリニアエディタエディットとカードバインダの説明図である。
【図３】実施の形態のカードバインダとエディットカードの説明図である。
【図４】実施の形態のエディットデスクの説明図である。
【図５】実施の形態のエディットカードの平面図、正面図、内部構造の模式図、底面図、及び左側面図である。
【図６】実施の形態で利用する電子ペーパーの説明図である。
【図７】実施の形態のエディットカードのブロック図である。
【図８】実施の形態のエディットカードに内蔵されるメモリタグの説明図である。
【図９】実施の形態のカードバインダのブロック図である。
【図１０】実施の形態のエディットデスクのブロック図である。
【図１１】実施の形態のエディットデスクのアンテナ構造の説明図である。
【図１２】実施の形態のエディットデスクのメモリタグ認識の説明図である。
【図１３】実施の形態のエディットデスクの編集面の時間的順序の説明図である。
【図１４】実施の形態のエディットデスクのスキャン動作の説明図である。
【図１５】実施の形態のエディットデスクの他のアンテナ構造の説明図である。
【図１６】実施の形態のエディットデスクの他のスキャン動作の説明図である。
【図１７】実施の形態のエディットカードの積み重なり検出のための構成の説明図である。
【図１８】実施の形態のエディットカードの積み重なり検出動作の説明図である。
【図１９】実施の形態のエディットカードの積み重なり検出のための他の構成の説明図である。
【図２０】実施の形態のエディットカードの他の積み重なり検出動作の説明図である。
【図２１】実施の形態のエディットカードの上下通信の説明図である。
【図２２】実施の形態のエディットカードの上下通信のパケット構造の説明図である。
【図２３】実施の形態の編集手順のフローチャートである。
【図２４】実施の形態のクリップ編集の説明図である。
【図２５】実施の形態のクリップダウンロード処理のフローチャートである。
【図２６】実施の形態のクリップとカードＩＤの対応付けの説明図である。
【図２７】実施の形態のエディットカードのクリップ情報受信時の処理のフローチャートである。
【図２８】実施の形態のエディットデスクの編集時の処理のフローチャートである。
【図２９】実施の形態でエディットデスクの読み取り時のエディットカードの処理のフローチャートである。
【図３０】実施の形態のエディットカードのクリップ内容確認のためのエディットデスクの処理のフローチャートである。
【図３１】実施の形態のエディットカードのクリップ内容確認のためのエディットデスク構造例の説明図である。
【図３２】実施の形態のエディットマスターブックとエディットブックの説明図である。
【図３３】実施の形態のノンリニアエディタとエディットマスターブックとエディットブックの関係の説明図である。
【図３４】実施の形態のエディットマスターブックとエディットブックの接続形態の説明図である。
【図３５】実施の形態のエディットデスク上でのエディットブックを用いた編集の説明図である。
【図３６】実施の形態のエディットブック及びエディットマスターブックの説明図である。
【図３７】実施の形態のエディットブック及びエディットマスターブックのブロック図である。
【図３８】実施の形態の表紙表示部のクリップ選択画面の説明図である。
【図３９】実施の形態の表紙表示部の編集画面及び編集後画面の説明図である。
【図４０】実施の形態のシートの表示例の説明図である。
【図４１】実施の形態のシートの表示例の説明図である。
【図４２】実施の形態のクリップ映像の展開処理のフローチャートである。
【図４３】実施の形態のシート編集処理のフローチャートである。
【図４４】実施の形態の表紙編集処理のフローチャートである。
【図４５】実施の形態の編集手順のフローチャートである。
【図４６】実施の形態のクリップダウンロード処理のフローチャートである。
【図４７】実施の形態のエディットブックの表紙表示部の表示の説明図である。
【図４８】実施の形態のエディットデスクの編集時の処理のフローチャートである。
【図４９】実施の形態でエディットデスクの読み取り時のエディットブックの処理のフローチャートである。
【符号の説明】
【０２７３】
１  エディットブック、２，３  表紙部、４  表紙表示部、７  シート、２０  主制御部、２１  通信インターフェース部、２２  不揮発性メモリ部、２４  表示データ生成部、２５  表示駆動部、２６  入力処理部、２７  表紙タッチセンサ部、２８  シートタッチセンサ部、２９  シート表示制御部、３０  メモリタグ、３１  ホール素子、３２  磁石、３３  受光系、３４  発光系、３５  バッテリー電源、１００  ノンリニアエディタ、１５０  カードバインダ、２００  エディットカード、２０１  電子ペーパー部、２０２  受光部、２０３  発光部、２０８  メモリタグ、２１１  主制御部、２１２  リード／ライト制御部、２１３  メモリ、２１５  表示データ生成部、２１７  バッテリー電源、２３０  タグ制御部、３００  エディットデスク、３０１  編集面、３１０  デスク制御部、３１１  ＥＤＬ作成部、３１２  カード位置検出部、３２０  Ｘ軸アンテナアレー、３２１  Ｙ軸アンテナアレー、５００  マスター編集機、５０１  単位映像表現装置、５０２  編集卓装置
【図１】
0004466724.tif 000002
【図２】
0004466724.tif 000003
【図３】
0004466724.tif 000004
【図４】
0004466724.tif 000005
【図５】
0004466724.tif 000006
【図６】
0004466724.tif 000007
【図７】
0004466724.tif 000008
【図８】
0004466724.tif 000009
【図９】
0004466724.tif 000010
【図１０】
0004466724.tif 000011
【図１１】
0004466724.tif 000012
【図１２】
0004466724.tif 000013
【図１３】
0004466724.tif 000014
【図１４】
0004466724.tif 000015
【図１５】
0004466724.tif 000016
【図１６】
0004466724.tif 000017
【図１７】
0004466724.tif 000018
【図１８】
0004466724.tif 000019
【図１９】
0004466724.tif 000020
【図２０】
0004466724.tif 000021
【図２１】
0004466724.tif 000022
【図２２】
0004466724.tif 000023
【図２３】
0004466724.tif 000024
【図２４】
0004466724.tif 000025
【図２５】
0004466724.tif 000026
【図２６】
0004466724.tif 000027
【図２７】
0004466724.tif 000028
【図２８】
0004466724.tif 000029
【図２９】
0004466724.tif 000030
【図３０】
0004466724.tif 000031
【図３１】
0004466724.tif 000032
【図３２】
0004466724.tif 000033
【図３３】
0004466724.tif 000034
【図３４】
0004466724.tif 000035
【図３５】
0004466724.tif 000036
【図３６】
0004466724.tif 000037
【図３７】
0004466724.tif 000038
【図３８】
0004466724.tif 000039
【図３９】
0004466724.tif 000040
【図４０】
0004466724.tif 000041
【図４１】
0004466724.tif 000042
【図４２】
0004466724.tif 000043
【図４３】
0004466724.tif 000044
【図４４】
0004466724.tif 000045
【図４５】
0004466724.tif 000046
【図４６】
0004466724.tif 000047
【図４７】
0004466724.tif 000048
【図４８】
0004466724.tif 000049
【図４９】
0004466724.tif 000050